(57)【特許請求の範囲】
【請求項１】
搬送元となる第１の場所に設けられ、搬出する現金カセットからカセットＩＤ情報を読み取る搬出側カセット読取手段と、
前記第１の場所に設けられ、前記搬出側カセット読取手段で読み取ったカセットＩＤ情報を作業者ＩＤカードに書き込む書込手段と、
搬送先となる第２の場所に設けられ、搬入される前記現金カセットからカセットＩＤ情報を読み取る搬入側カセット読取手段と、
前記第２の場所に設けられ、前記作業者ＩＤカードから該作業者ＩＤカードに書き込まれたカセットＩＤ情報を読み取るカード読取手段と、
前記第２の場所に設けられ、前記搬入側カセット読取手段で読み取ったカセットＩＤ情報と前記カード読取手段で読み取ったカセットＩＤ情報との整合を確認する搬入側確認手段とを有することを特徴とする現金カセット搬送監視システム。
【請求項２】
前記搬入側カセット読取手段で読み取ったカセットＩＤ情報と前記カード読取手段で読み取ったカセットＩＤ情報とが整合しないことが前記搬入側確認手段で確認されたとき、警報を発する警報手段を有することを特徴とする請求項１記載の現金カセット搬送監視システム。
【請求項３】
前記第１の場所は、前記現金カセットが装填される現金取引機が設置される取引先であり、前記第２の場所は、複数の取引先から前記現金カセットが収集される現金収集センタであることを特徴とする請求項１または２記載の現金カセット搬送監視システム。
【請求項４】
前記第１の場所に設置された現金取引機には、前記搬出側カセット読取手段と前記書込手段とが組み込まれており、該現金取引機は、前記現金カセットを取り出す回収モード時に、取り出す該現金カセットから前記搬出側カセット読取手段で読み取ったカセットＩＤ情報を前記書込手段で前記作業者ＩＤカードに書き込むことを特徴とする請求項３記載の現金カセット搬送監視システム。
【請求項５】
前記搬出側カセット読取手段と前記書込手段とを取引先の前記現金取引機が設置される設置エリアの出入口近傍に配置し、該出入口を通る際に、前記搬出側カセット読取手段が、該現金カセットからカセットＩＤ情報を読み取った後、前記書込手段が、前記搬出側カセット読取手段で読み取ったカセットＩＤ情報を前記作業者ＩＤカードに書き込むことを特徴とする請求項３記載の現金カセット搬送監視システム。
【請求項６】
前記搬出側カセット読取手段と前記書込手段とを取引先の前記現金取引機が設置される設置エリアの出入口近傍に配置するとともに、搬出する前記現金カセットを指定操作する取引先管理機を前記設置エリアに設け、前記出入口を通る際に、前記搬出側カセット読取手段が、該現金カセットからカセットＩＤ情報を読み取った後、当該カセットＩＤ情報が、前記取引先管理機に入力されたカセットＩＤ情報に対応する正常搬出か対応しない異常搬出かを確認する搬出側確認手段を設け、該搬出側確認手段で正常搬出が確認されると、前記書込手段が、前記搬出側カセット読取手段で読み取ったカセットＩＤ情報を前記作業者ＩＤカードに書き込むことを特徴とする請求項３記載の現金カセット搬送監視システム。
【請求項７】
前記搬出側確認手段で異常搬出が確認されると、警報を発する警報手段を有することを特徴とする請求項６記載の現金カセット搬送監視システム。
【請求項８】
前記現金カセットには、カセットＩＤ情報に加えて、前記搬入側カセット読取手段で読み取り可能な取引先ＩＤ情報およびカセット内在り高情報が記録されていることを特徴とする請求項３乃至７のいずれか一項記載の現金カセット搬送監視システム。
【請求項９】
前記搬入側カセット読取手段は、前記現金カセットからカセットＩＤ情報に加えて取引先ＩＤ情報およびカセット内在り高情報を読み取って、前記第２の場所に設けられた記憶手段に記憶させることを特徴とする請求項８記載の現金カセット搬送監視システム。
【請求項１０】
前記第１の場所は、複数の取引先の前記現金カセットが収集される現金収集センタであり、前記第２の場所は、前記現金カセットが装填される現金取引機が設置される取引先であることを特徴とする請求項１または２記載の現金カセット搬送監視システム。
【請求項１１】
前記搬出側カセット読取手段と前記書込手段とを前記現金収集センタの搬出エリアの出入口近傍に配置し、該出入口を通る際に、前記搬出側カセット読取手段が、該現金カセットからカセットＩＤ情報を読み取った後、前記書込手段が、前記搬出側カセット読取手段で読み取ったカセットＩＤ情報を作業者ＩＤカードに書き込むことを特徴とする請求項１０記載の現金カセット搬送監視システム。
【請求項１２】
前記搬出側カセット読取手段と前記書込手段とを前記現金収集センタの搬出エリアの出入口近傍に配置するとともに、搬出する前記現金カセットを指定操作するセンタ管理機を前記搬出エリアに設け、前記出入口を通る際に、前記搬出側カセット読取手段が、前記現金カセットからカセットＩＤ情報を読み取った後、当該カセットＩＤ情報が、前記センタ管理機に入力されたカセットＩＤ情報に対応する正常搬出か対応しない異常搬出かを確認する搬出側確認手段を設け、該搬出側確認手段で正常搬出が確認されると、前記書込手段が、前記搬出側カセット読取手段で読み取ったカセットＩＤ情報を作業者ＩＤカードに書き込むことを特徴とする請求項１０記載の現金カセット搬送監視システム。
【請求項１３】
前記搬出側確認手段で異常搬出が確認されると、警報を発する警報手段を有することを特徴とする請求項１２記載の現金カセット搬送監視システム。
【請求項１４】
前記搬出側確認手段で正常搬出が確認されても、前記搬出側カセット読取手段で読み取ったカセットＩＤ情報を前記書込手段で作業者ＩＤカードに書き込めない場合に、警報を発する警報手段を有することを特徴とする請求項１２または１３記載の現金カセット搬送監視システム。
【請求項１５】
前記現金カセットには、カセットＩＤ情報に加えて、前記搬入側カセット読取手段で読み取り可能な取引先ＩＤ情報が記憶されており、
前記第２の場所に設置された現金取引機には、前記搬入側カセット読取手段が設けられるとともに、予め登録されている取引先ＩＤ情報と、装填される前記現金カセットから前記搬入側カセット読取手段で読み取った取引先ＩＤ情報との照合を行う装填照合手段が設けられていることを特徴とする請求項１０乃至１４のいずれか一項記載の現金カセット搬送監視システム。
【請求項１６】
前記装填照合手段で照合が確認された場合に、前記現金カセットが適正な取引先の現金取引機に装填されたことを前記作業者ＩＤカードに記録できるよう、前記カード読取手段にさらに書込機能を有することを特徴とする請求項１５記載の現金カセット搬送監視システム。
【請求項１７】
前記現金カセットには、カセットＩＤ情報に加えて、前記搬入側カセット読取手段で読み取り可能な取引先ＩＤ情報が記憶されており、
前記搬入側カセット読取手段を取引先の前記現金取引機が設置される設置エリアの出入口近傍に配置するとともに、該出入口を通る際に前記搬入側カセット読取手段が前記現金カセットから読み取った取引先ＩＤ情報と、予め登録されている取引先ＩＤ情報との照合を行う搬入側照合手段が設けられていることを特徴とする請求項１０乃至１４のいずれか一項記載の現金カセット搬送監視システム。
【請求項１８】
前記作業者ＩＤカードには、カセットＩＤ情報に加えて、個々のカセットＩＤ情報と対応して取引先ＩＤ情報が記録されており、
前記カード読取手段を前記出入口近傍に配置するとともに、該出入口を通る際に前記カード読取手段が前記作業者ＩＤカードから読み取った当該カード読取手段が設置された取引先の取引先ＩＤ情報に対応するカセットＩＤ情報と、前記搬入側カセット読取手段が前記現金カセットから読み取ったカセットＩＤ情報とを照合し、搬入された前記現金カセットの過不足を判断する過不足判断手段を有することを特徴とする請求項１７記載の現金カセット搬送監視システム。
【請求項１９】
照合の結果が適正でない場合に警報を発する警報手段を有することを特徴とする請求項１５乃至１８のいずれか一項記載の現金カセット搬送監視システム。
【請求項２０】
前記現金カセットには、カセットＩＤ情報に加えて、カセット内在り高情報が記録されており、
前記搬入側カセット読取手段は、前記現金取引機に設けられていて、装填される前記現金カセットからカセット内在り高情報を読み取って、当該現金取引機の在り高情報を更新可能であることを特徴とする請求項１０乃至１９のいずれか一項記載の現金カセット搬送監視システム。
【請求項２１】
前記搬出側カセット読取手段と前記書込手段とが一つのリーダライタで共用されていることを特徴とする請求項１乃至２０のいずれか一項記載の現金カセット搬送監視システム。
【請求項２２】
前記搬入側カセット読取手段と前記カード読取手段とが一つのリーダライタで共用されていることを特徴とする請求項１乃至２１のいずれか一項記載の現金カセット搬送監視システム。
【発明の詳細な説明】
【技術分野】
【０００１】
本発明は、現金を現金カセットに入れて運搬する場合に用いて好適な現金カセット搬送監視システムに関する。
【背景技術】
【０００２】
例えば、百貨店、大規模スーパーマーケット等においては、各売り場の売上金の入金管理を行うために、管理エリアに複数台の入金機を設置して、各店舗から適宜のタイミングで売上金を適宜の入金機に入金することが行われている。このシステムでは、別途警備会社の作業者が、適宜のタイミングで入金機から現金を回収して現金収集センタに運搬する作業を行うことになるが、このような作業を安全かつ簡単に行うために、入金機から現金カセットごと現金を回収し、代わりに空の現金カセットを入金機に装填する技術がある（例えば特許文献１参照）。
【０００３】
また、上記のような回収作業と並行して、釣銭準備金の提供を行うことがあり、その際に、交換用の空の現金カセットに釣銭準備金を収納して運搬を行う技術がある（例えば特許文献２参照）。
【特許文献１】特開平９−１６６９１号公報
【特許文献２】特開平６−２６６９６３号公報
【発明の開示】
【発明が解決しようとする課題】
【０００４】
上記のように入金機から現金カセットごと現金を回収する技術においては、回収した現金カセットが適正に現金収集センタに運び込まれた（入庫された）か否かの確認作業が手作業によって行われているため、確認作業が煩雑でミスを生じることもあり、管理上、種々の問題を発生する可能性があった。
【０００５】
また、上記のように釣銭準備金を交換用の現金カセットに入れて運搬する技術においても、現金を現金カセットに入れて運搬するという点では、上記と同様であり、確認作業が煩雑でミスを生じることもあり、管理上、種々の問題を発生する可能性があった。
【０００６】
したがって、本発明は、搬送元から搬出された現金カセットが搬送先に適正に搬入されたか否かの確認作業が容易で、管理上良好な現金カセット搬送監視システムの提供を目的とする。
【課題を解決するための手段】
【０００７】
上記目的を達成するために、請求項１に係る発明は、搬送元となる第１の場所に設けられ、搬出する現金カセットからカセットＩＤ情報を読み取る搬出側カセット読取手段と、前記第１の場所に設けられ、前記搬出側カセット読取手段で読み取ったカセットＩＤ情報を作業者ＩＤカードに書き込む書込手段と、搬送先となる第２の場所に設けられ、搬入される前記現金カセットからカセットＩＤ情報を読み取る搬入側カセット読取手段と、前記第２の場所に設けられ、前記作業者ＩＤカードから該作業者ＩＤカードに書き込まれたカセットＩＤ情報を読み取るカード読取手段と、前記第２の場所に設けられ、前記搬入側カセット読取手段で読み取ったカセットＩＤ情報と前記カード読取手段で読み取ったカセットＩＤ情報との整合を確認する搬入側確認手段とを有することを特徴としている。
【０００８】
請求項２に係る発明は、請求項１に係る発明において、前記搬入側カセット読取手段で読み取ったカセットＩＤ情報と前記カード読取手段で読み取ったカセットＩＤ情報とが整合しないことが前記搬入側確認手段で確認されたとき、警報を発する警報手段を有することを特徴としている。
【０００９】
請求項３に係る発明は、請求項１または２に係る発明において、前記第１の場所は、前記現金カセットが装填される現金取引機が設置される取引先であり、前記第２の場所は、複数の取引先から前記現金カセットが収集される現金収集センタであることを特徴としている。
【００１０】
請求項４に係る発明は、請求項３に係る発明において、前記第１の場所に設置された現金取引機には、前記搬出側カセット読取手段と前記書込手段とが組み込まれており、該現金取引機は、前記現金カセットを取り出す回収モード時に、取り出す該現金カセットから前記搬出側カセット読取手段で読み取ったカセットＩＤ情報を前記書込手段で前記作業者ＩＤカードに書き込むことを特徴としている。
【００１１】
請求項５に係る発明は、請求項３に係る発明において、前記搬出側カセット読取手段と前記書込手段とを取引先の前記現金取引機が設置される設置エリアの出入口近傍に配置し、該出入口を通る際に、前記搬出側カセット読取手段が、該現金カセットからカセットＩＤ情報を読み取った後、前記書込手段が、前記搬出側カセット読取手段で読み取ったカセットＩＤ情報を前記作業者ＩＤカードに書き込むことを特徴としている。
【００１２】
請求項６に係る発明は、請求項３に係る発明において、前記搬出側カセット読取手段と前記書込手段とを取引先の前記現金取引機が設置される設置エリアの出入口近傍に配置するとともに、搬出する前記現金カセットを指定操作する取引先管理機を前記設置エリアに設け、前記出入口を通る際に、前記搬出側カセット読取手段が、該現金カセットからカセットＩＤ情報を読み取った後、当該カセットＩＤ情報が、前記取引先管理機に入力されたカセットＩＤ情報に対応する正常搬出か対応しない異常搬出かを確認する搬出側確認手段を設け、該搬出側確認手段で正常搬出が確認されると、前記書込手段が、前記搬出側カセット読取手段で読み取ったカセットＩＤ情報を前記作業者ＩＤカードに書き込むことを特徴としている。
【００１３】
請求項７に係る発明は、請求項６に係る発明において、前記搬出側確認手段で異常搬出が確認されると、警報を発する警報手段を有することを特徴としている。
【００１４】
請求項８に係る発明は、請求項３乃至７のいずれか一項に係る発明において、前記現金カセットには、カセットＩＤ情報に加えて、前記搬入側カセット読取手段で読み取り可能な取引先ＩＤ情報およびカセット内在り高情報が記録されていることを特徴としている。
【００１５】
請求項９に係る発明は、請求項８に係る発明において、前記搬入側カセット読取手段は、前記現金カセットからカセットＩＤ情報に加えて取引先ＩＤ情報およびカセット内在り高情報を読み取って、前記第２の場所に設けられた記憶手段に記憶させることを特徴としている。
【００１６】
請求項１０に係る発明は、請求項１または２に係る発明において、前記第１の場所は、複数の取引先の前記現金カセットが収集される現金収集センタであり、前記第２の場所は、前記現金カセットが装填される現金取引機が設置される取引先であることを特徴としている。
【００１７】
請求項１１に係る発明は、請求項１０に係る発明において、前記搬出側カセット読取手段と前記書込手段とを前記現金収集センタの搬出エリアの出入口近傍に配置し、該出入口を通る際に、前記搬出側カセット読取手段が、該現金カセットからカセットＩＤ情報を読み取った後、前記書込手段が、前記搬出側カセット読取手段で読み取ったカセットＩＤ情報を作業者ＩＤカードに書き込むことを特徴としている。
【００１８】
請求項１２に係る発明は、請求項１０に係る発明において、前記搬出側カセット読取手段と前記書込手段とを前記現金収集センタの搬出エリアの出入口近傍に配置するとともに、搬出する前記現金カセットを指定操作するセンタ管理機を前記搬出エリアに設け、前記出入口を通る際に、前記搬出側カセット読取手段が、前記現金カセットからカセットＩＤ情報を読み取った後、当該カセットＩＤ情報が、前記センタ管理機に入力されたカセットＩＤ情報に対応する正常搬出か対応しない異常搬出かを確認する搬出側確認手段を設け、該搬出側確認手段で正常搬出が確認されると、前記書込手段が、前記搬出側カセット読取手段で読み取ったカセットＩＤ情報を作業者ＩＤカードに書き込むことを特徴としている。
【００１９】
請求項１３に係る発明は、請求項１２に係る発明において、前記搬出側確認手段で異常搬出が確認されると、警報を発する警報手段を有することを特徴としている。
【００２０】
請求項１４に係る発明は、請求項１２または１３に係る発明において、前記搬出側確認手段で正常搬出が確認されても、前記搬出側カセット読取手段で読み取ったカセットＩＤ情報を前記書込手段で作業者ＩＤカードに書き込めない場合に、警報を発する警報手段を有することを特徴としている。
【００２１】
請求項１５に係る発明は、請求項１０乃至１４のいずれか一項に係る発明において、前記現金カセットには、カセットＩＤ情報に加えて、前記搬入側カセット読取手段で読み取り可能な取引先ＩＤ情報が記憶されており、前記第２の場所に設置された現金取引機には、前記搬入側カセット読取手段が設けられるとともに、予め登録されている取引先ＩＤ情報と、装填される前記現金カセットから前記搬入側カセット読取手段で読み取った取引先ＩＤ情報との照合を行う装填照合手段が設けられていることを特徴としている。
【００２２】
請求項１６に係る発明は、請求項１５に係る発明において、前記装填照合手段で照合が確認された場合に、前記現金カセットが適正な取引先の現金取引機に装填されたことを前記作業者ＩＤカードに記録できるよう、前記カード読取手段にさらに書込機能を有することを特徴としている。
【００２３】
請求項１７に係る発明は、請求項１０乃至１４のいずれか一項に係る発明において、前記現金カセットには、カセットＩＤ情報に加えて、前記搬入側カセット読取手段で読み取り可能な取引先ＩＤ情報が記憶されており、前記搬入側カセット読取手段を取引先の前記現金取引機が設置される設置エリアの出入口近傍に配置するとともに、該出入口を通る際に前記搬入側カセット読取手段が前記現金カセットから読み取った取引先ＩＤ情報と、予め登録されている取引先ＩＤ情報との照合を行う搬入側照合手段が設けられていることを特徴としている。
【００２４】
請求項１８に係る発明は、請求項１７に係る発明において、前記作業者ＩＤカードには、カセットＩＤ情報に加えて、個々のカセットＩＤ情報と対応して取引先ＩＤ情報が記録されており、前記カード読取手段を前記出入口近傍に配置するとともに、該出入口を通る際に前記カード読取手段が前記作業者ＩＤカードから読み取った当該カード読取手段が設置された取引先の取引先ＩＤ情報に対応するカセットＩＤ情報と、前記搬入側カセット読取手段が前記現金カセットから読み取ったカセットＩＤ情報とを照合し、搬入された前記現金カセットの過不足を判断する過不足判断手段を有することを特徴としている。
【００２５】
請求項１９に係る発明は、１５乃至１８のいずれか一項に係る発明において、照合の結果が適正でない場合に警報を発する警報手段を有することを特徴としている。
【００２６】
請求項２０に係る発明は、請求項１０乃至１９のいずれか一項に係る発明において、前記現金カセットには、カセットＩＤ情報に加えて、カセット内在り高情報が記録されており、前記搬入側カセット読取手段は、前記現金取引機に設けられていて、装填される前記現金カセットからカセット内在り高情報を読み取って、当該現金取引機の在り高情報を更新可能であることを特徴としている。
【００２７】
請求項２１に係る発明は、請求項１乃至２０のいずれか一項に係る発明において、前記搬出側カセット読取手段と前記書込手段とが一つのリーダライタで共用されていることを特徴としている。
【００２８】
請求項２２に係る発明は、請求項１乃至２１のいずれか一項に係る発明において、前記搬入側カセット読取手段と前記カード読取手段とが一つのリーダライタで共用されていることを特徴としている。
【発明の効果】
【００２９】
請求項１に係る発明によれば、搬送元である第１の場所において、搬出する現金カセットから搬出側カセット読取手段でカセットＩＤ情報を読み取り、このカセットＩＤ情報を書込手段が搬送作業者に付帯の作業者ＩＤカードに書き込む。そして、搬送作業者が現金カセットを搬送先となる第２の場所に搬入し、搬入側カセット読取手段で搬入した現金カセットからカセットＩＤ情報を読み取るとともにカード読取手段で作業者ＩＤカードからカセットＩＤ情報を読み取る。すると、搬入側確認手段が、搬入側カセット読取手段で読み取ったカセットＩＤ情報とカード読取手段で読み取ったカセットＩＤ情報との整合を確認することになり、これにより、第１の場所から搬出された現金カセットが適正に第２の場所に搬入されたか否かを確認できる。このように、第１の場所において搬出管理として現金カセットからのカセットＩＤ情報の読み取りおよび作業者ＩＤカードへのカセットＩＤ情報の書き込みを行い、第２の場所において搬入管理として現金カセットからのカセットＩＤ情報の読み取りおよび作業者ＩＤカードからのカセットＩＤ情報の読み取りを行えば良いため、搬送元から搬出された現金カセットが適正に搬送先に搬入されたか否かの確認作業が容易となり、人為的ミスも生じにくいことから、管理上良好となる。
【００３０】
請求項２に係る発明によれば、搬入側カセット読取手段で読み取ったカセットＩＤ情報とカード読取手段で読み取ったカセットＩＤ情報とが整合しないことが搬入側確認手段で確認されたとき、警報手段で警報を発するため、不整合を作業者等に確実に認識させることができる。
【００３１】
請求項３に係る発明によれば、搬送元である第１の場所が、現金カセットが装填される現金取引機が設置される取引先であり、搬送先である第２の場所が、複数の取引先から現金カセットが収集される現金収集センタであるため、取引先での搬出管理および現金収集センタでの搬入管理が容易且つ良好にできる。
【００３２】
請求項４に係る発明によれば、第１の場所である取引先に設置された現金取引機から現金カセットを取り出す回収モード時に、現金取引機に組み込まれた搬出側カセット読取手段で取り出す現金カセットからカセットＩＤ情報を読み取り、これを現金取引機に組み込まれた書込手段で作業者ＩＤカードに書き込むことになる。このように、現金カセットが装填される現金取引機に、搬出側カセット読取手段と書込手段とが組み込まれているため、現金カセットからの読み取りおよび作業者ＩＤカードへの書き込みを現金取引機内で完結させることができ、取引先での搬出管理の人為的ミスを確実に防止することができる。
【００３３】
請求項５に係る発明によれば、第１の場所である取引先の設置エリアに設置された現金取引機から現金カセットを取り出し、設置エリアから持ち出そうと出入口を通ると、この出入口近傍に配置された搬出側カセット読取手段が、現金カセットからカセットＩＤ情報を読み取った後、同じく出入口近傍に配置された書込手段が、搬出側カセット読取手段で読み取ったカセットＩＤ情報を作業者ＩＤカードに書き込む。このように、搬出時に出入口を通ることに関連して自動的に現金カセットからの読み取りおよび作業者ＩＤカードへの書き込みを行うことができるため、取引先での搬出管理の人為的ミスを確実に防止することができる。また、仮に保守、障害対応等で現金カセットを現金取引機から取り出した場合に、回収扱いすることなく誤って搬出してしまう場合でも、搬出時点で自動的に搬出管理を行うことができる。
【００３４】
請求項６に係る発明によれば、第１の場所である取引先の設置エリアに設けられた取引先管理機に、搬出する現金カセットを指定操作した後、設置エリアの現金取引機から現金カセットを取り出し、現金取引機が設置された設置エリアから持ち出そうと出入口を通ると、この出入口近傍に配置された搬出側カセット読取手段が、現金カセットからカセットＩＤ情報を読み取った後、搬出側確認手段が、当該カセットＩＤ情報が、取引先管理機に入力されたカセットＩＤ情報に対応する正常搬出か対応しない異常搬出かを確認することになる。そして、搬出側確認手段で正常搬出が確認されると、書込手段が、搬出側カセット読取手段で読み取ったカセットＩＤ情報を作業者ＩＤカードに書き込むことになる。したがって、持ち出す現金カセットを指定操作する場合に、指定操作または持ち出しの人為的ミスを確実に防止することができる。
【００３５】
請求項７に係る発明によれば、搬出側確認手段で異常搬出が確認されると、警報手段が警報を発するため、異常搬出を作業者等に確実に認識させることができる。
【００３６】
請求項８に係る発明によれば、第２の場所である現金収集センタの搬入側カセット読取手段で、現金カセットに記録された取引先ＩＤ情報およびカセット内在り高情報を読み込むことで、読み込んだ現金カセットが、いずれの取引先の現金カセットであるのかと、その在り高情報とを容易に現金収集センタ側で入手できる。
【００３７】
請求項９に係る発明によれば、搬入側カセット読取手段で読み込んだ現金カセットに記録された取引先ＩＤ情報およびカセット内在り高情報を記憶手段に記憶させるため、読み込んだ現金カセットが、いずれの取引先の現金カセットであるのかと、その在り高情報とを自動的に記憶することができる。よって、これらの情報に基づいて現金カセットの精査作業、その他の管理を容易に行うことができる。
【００３８】
請求項１０に係る発明によれば、搬送元である第１の場所が、複数の取引先から現金カセットが収集される現金収集センタであり、搬送先である第２の場所が、現金カセットが装填される現金取引機が設置される取引先であるため、現金収集センタでの搬出管理および取引先での搬入管理が容易且つ良好にできる。
【００３９】
請求項１１に係る発明によれば、第１の場所である現金収集センタから現金カセットを持ち出そうと出入口を通ると、この出入口近傍に配置された搬出側カセット読取手段が、現金カセットからカセットＩＤ情報を読み取った後、同じく出入口近傍に配置された書込手段が、搬出側カセット読取手段で読み取ったカセットＩＤ情報を作業者ＩＤカードに書き込む。このように、搬出時に出入口を通ることに関連して自動的に現金カセットからの読み取りおよび作業者ＩＤカードへの書き込みを行うことができるため、現金収集センタでの搬出管理の人為的ミスを確実に防止することができる。
【００４０】
請求項１２に係る発明によれば、第１の場所である現金収集センタの搬出エリアに設けられたセンタ管理機に、搬出する現金カセットを指定操作した後、搬出エリアから現金カセットを持ち出そうと出入口を通ると、この出入口近傍に配置された搬出側カセット読取手段が、現金カセットからカセットＩＤ情報を読み取った後、搬出側確認手段が、当該カセットＩＤ情報が、センタ管理機に入力されたカセットＩＤ情報に対応する正常搬出か対応しない異常搬出かを確認することになる。そして、搬出側確認手段で正常搬出が確認されると、書込手段が、搬出側カセット読取手段で読み取ったカセットＩＤ情報を作業者ＩＤカードに書き込むことになる。したがって、持ち出す現金カセットを指定操作する場合に、指定操作または持ち出しの人為的ミスを確実に防止することができる。
【００４１】
請求項１３に係る発明によれば、搬出側確認手段で異常搬出が確認されると、警報手段が警報を発するため、異常搬出を作業者等に確実に認識させることができる。
【００４２】
請求項１４に係る発明によれば、搬出側確認手段で正常搬出が確認されても、搬出側カセット読取手段で読み取ったカセットＩＤ情報を書込手段で作業者ＩＤカードに書き込めない場合に、警報手段が警報を発するため、カセットＩＤ情報を作業者ＩＤカードに記憶しない状態、つまり搬送作業者が不明の状態で現金カセットが持ち出されることを防止できる。
【００４３】
請求項１５に係る発明によれば、第２の場所である取引先に設置された現金取引機に、搬入した現金カセットを装填すると、現金取引機に設けられた搬入側カセット読取手段がこの現金カセットから取引先ＩＤ情報を読み取ることになり、装填照合手段が、この取引先ＩＤ情報と、予め登録されている取引先ＩＤ情報との照合を行うことになる。よって、一の取引先の現金取引機に対して、他の取引先の現金取引機用の現金カセットを誤って装填することを防止できる。
【００４４】
請求項１６に係る発明によれば、装填照合手段で照合が確認された場合に、現金カセットが適正な取引先の現金取引機に装填されたことを、カード読取手段にさらに設けられた書込機能により作業者ＩＤカードに記録するため、照合記録を残すことができる。
【００４５】
請求項１７に係る発明によれば、第２の場所である取引先の現金取引機が設置される設置エリアの出入口を通って現金カセットを搬入すると、出入口近傍に配置された搬入側カセット読取手段が現金カセットから取引先ＩＤ情報を読み取ることになり、搬入側照合手段がこの取引先ＩＤ情報と、予め登録されている取引先ＩＤ情報との照合を行うことになる。よって、一の取引先に他の取引先用の現金カセットを誤って持ち込むことを出入口において防止できる。
【００４６】
請求項１８に係る発明によれば、第２の場所である取引先の現金取引機が設置される設置エリアの出入口を通って搬送作業者が現金カセットを搬入すると、出入口近傍に配置された搬入側カセット読取手段が現金カセットからカセットＩＤ情報および取引先ＩＤ情報を読み取るとともに、出入口近傍に配置されたカード読取手段が搬送作業者の作業者ＩＤカードから、当該カード読取手段が設置された取引先の取引先ＩＤ情報に対応するカセットＩＤ情報を読み取り、過不足判断手段がこれらを照合することで、搬入された現金カセットの過不足を判断する。これにより、一の取引先に対して搬入すべき現金カセットが所定のＮ個であり、所定のＮ個のカセットＩＤ情報が作業者ＩＤカードに記録されている場合に、取引先の出入口で、Ｎ個に満たない数の現金カセットを搬入した場合にこれを検出できる。
【００４７】
請求項１９に係る発明によれば、照合の結果が適正でない場合に、警報手段が警報を発するため、作業者等に確実に認識させることができる。
【００４８】
請求項２０に係る発明によれば、第２の場所である取引先の現金取引機に現金カセットを装填すると、現金取引機に設けられた搬入側カセット読取手段が、装填される現金カセットからカセット内在り高情報を読み取って、当該現金取引機の在り高情報を自動更新するため、現金取引機が還流式である場合に、在り高情報を更新することで、現金カセットに収納されている現金をそのまま出金用として使用することができる。
【００４９】
請求項２１に係る発明によれば、搬出側カセット読取手段と書込手段とが一つのリーダライタで共用されているため、部品点数を減らして簡素化することができる。
【００５０】
請求項２２に係る発明によれば、搬入側カセット読取手段とカード読取手段とが一つのリーダライタで共用されているため、部品点数を減らして簡素化することができる。
【発明を実施するための最良の形態】
【００５１】
本発明の第１実施形態の現金カセット搬送監視システムを図１〜図７を参照して以下に説明する。
【００５２】
第１実施形態の現金カセット搬送監視システムは、図１に示すように、百貨店や大規模スーパーマーケット等からなる複数カ所の点在する取引先１０と、これらの取引先１０に対して一カ所共用で設置された警備会社の現金収集センタ１００との間の現金の搬送を監視するものであり、より詳しくは、各取引先１０と現金収集センタ１００との間での、現金を収納可能な金庫型の一台以上の現金カセット１５の搬送を監視するものである。なお、現金カセット１５の各取引先１０間の搬送、および取引先１０と現金収集センタ１００との間の搬送は、基本的に運搬車を用いて行われる。
【００５３】
百貨店、大規模スーパーマーケット等である一の取引先１０においては、各売り場の売上金の入金管理および釣銭準備金の出金等を行うための図２に示す現金取引室２０が設置されている。なお、複数の取引先１０において、それぞれに同様の現金取引室２０が、１カ所あるいは複数カ所設置されることになる。
【００５４】
この現金取引室２０は、四方が側壁２１ａ〜２１ｄで囲まれて構成されており、所定の側壁２１ａのみに一カ所の出入口２３が形成されていて、この出入口２３には出入口２３を開閉するドア２４が取り付けられている。なお、現金取引室２０内には、側壁２１ｂとで出入口２３を挟むように仕切壁２１ｅが設けられており、これら側壁２１ｂと仕切壁２１ｅとで出入口２３に通じるゲート２５が形成されている。現金取引室２０に出入りする場合は、必ず出入口２３およびゲート２５を通ることになる。
【００５５】
現金取引室２０内には、上記した現金カセット１５が着脱可能に設けられるとともに売上金を入金するための現金取引機２６が複数台設置されている。各現金取引機２６には、機外から投入された貨幣を計数して収納するとともに収納した貨幣を出金可能な入出金機が用いられる。各現金取引機２６のそれぞれの内部には、貨幣を収納する金庫型の現金カセット１５を着脱可能に装填させるカセット装填部２７が複数設けられており、複数の現金カセット１５が装填可能となっている。なお、現金取引機２６は、カセット装填部２７を一カ所有し現金カセット１５を一台のみ装填するものであっても良い。各現金カセット１５は、現金取引室２０内のすべての現金取引機２６のすべてのカセット装填部２７に対し着脱可能であり、装填時に自動的に現金取引機２６に対し現金を出し入れ可能となり、取り外し時には現金の取り出しを規制することになって、さらに、取り外した状態でも別途のキーで現金の取り出しが可能となる構造になっている。
【００５６】
すべての現金カセット１５にはＲＦＩＤ（Radio Frequency Identification）インレット３０がそれぞれ一つずつ取り付けられている。ＲＦＩＤインレット３０は、図３に示すように、電子データを書き込み可能なＩＣチップ３０ａと、所定の電波を受信することで起電力を発生させてＩＣチップ３０ａを駆動するとともに、駆動したＩＣチップ３０ａから電子データからなる情報を無線で送信し、またＩＣチップ３０ａに書き込む情報を受信するコイルからなるアンテナ３０ｂとを備えている。このＲＦＩＤインレット３０には、これが取り付けられた現金カセット１５を他の現金カセット１５と識別するためのカセットＩＤ情報（具体的にはカセット識別番号（現金カセットコード））が電子データで記憶されており、また、顧客ＩＤ情報（具体的には顧客識別番号（顧客コード））、現金取引機２６への装填時には装填された現金取引機２６の取引機ＩＤ情報（具体的には取引機識別番号（取引機コード））、現金装填情報（現金を装填した日時、装填した作業者ＩＤ情報、金種金額明細）、カセット装填情報（現金取引機２６に装填された日時、装填した作業者ＩＤ情報、金種金額明細）、装填現金授受情報（装填された釣銭準備金などを取引先が取り出した日時、取り出した作業者ＩＤ情報、金種金額明細）、取引機現金回収情報（現金取引機から回収された日時、回収した作業者ＩＤ情報、金種金額明細）等が電子データで記憶可能となっている。
【００５７】
図２に示すように、現金取引室２０内のすべての現金取引機２６のすべてのカセット装填部２７には、それぞれに一台ずつ装填される現金カセット１５のＲＦＩＤインレット３０に対し電子データからなる情報を無線で読み書き可能な個別の装填部ＲＦＩＤリーダライタ３２が一対一で設けられている。これにより、いずれの現金取引機２６のいずれのカセット装填部２７にいずれの現金カセット１５が装填されているかを把握できるようになっている。各装填部ＲＦＩＤリーダライタ３２の近傍には、カード挿入部３３が一対一で対応して設けられている。
【００５８】
各現金取引機２６には、入出金処理を制御するとともに内部に組み込まれた装填部ＲＦＩＤリーダライタ３２を制御する制御部３７と、情報を記憶する記憶部３８と、警報を発生させる警報装置３９とが設けられている。一の現金取引機２６に設けられた記憶部３８は、この現金取引機２６内にある各現金カセット１５のカセット内在り高情報（つまり、いずれの現金カセット１５が収納量がどれだけであるか）や、この現金取引機２６が設置された取引先１０を他の取引先１０と識別するための取引先ＩＤ情報（具体的には取引先識別番号）等の電子データを記憶する。なお、図示してないが、各現金取引機２６には、設置された取引先１０において、現金取引機２６に対して入出金処理を行うための操作部、表示部などが設けられている。
【００５９】
ここで、一の現金カセット１５のＲＦＩＤインレット３０には、予め、一の現金取引機２６が設置された取引先１０の取引先ＩＤ情報が書き込まれており、この現金カセット１５が一の現金取引機２６に装填された時点で、装填部ＲＦＩＤリーダライタ３２によって、一の現金カセット１５のＲＦＩＤインレット３０に書き込まれている取引先ＩＤ情報が読み込まれ、記憶部３８に記憶されたこの現金取引機２６が設置された取引先１０の取引先ＩＤ情報と比較されて、両者の一致が確認されると、さらに、この現金取引機２６の取引機ＩＤ情報、カセット装填情報が書き込まれることになり、その後、各入出金処理毎にこの現金カセット１５が収納している貨幣の量を示すカセット内在り高情報が書き込まれることになる。他方、後述するように、一の現金取引機２６が入金機である場合、通常、取引先ＩＤ情報が記録されていない空の現金カセット１５が一の現金取引機２６に装填されることになり、その時点で、一の現金カセット１５のＲＦＩＤインレット３０には、装填部ＲＦＩＤリーダライタ３２によって、この現金取引機２６が設置された取引先１０の取引先ＩＤ情報、取引機ＩＤ情報、カセット装填情報が書き込まれることになり、その後、各入出金処理毎にこの現金カセット１５が収納している貨幣の量を示すカセット内在り高情報が書き込まれることになる。
【００６０】
ここで、搬送作業者は、図４に示すＲＦＩＤインレット３５を有する作業者ＩＤカード３６を付帯した状況で現金カセット１５を搬送することになる。この作業者ＩＤカード３６のＲＦＩＤインレット３５も、ＩＣチップ３５ａとアンテナ３５ｂとを備えており、ＩＣチップ３５ａにはこれを所持する作業者を他の作業者と識別するための作業者ＩＤ情報（具体的には作業者識別番号（作業者コード））、作業者名、作業者の認証用生体情報（例えば、５指分の指静脈データ）、回収対象の現金カセット１５のカセットＩＤ情報（例えば、カセット識別番号）、装填対象の現金カセット１５のカセットＩＤ情報（例えば、カセット識別番号）、装填対象の現金カセット１５毎の装填先の取引先ＩＤ情報（例えば、取引先識別番号）等が電子データで記憶可能となっている。そして、上記した図２に示すカード挿入部３３には、この作業者ＩＤカード３６が挿入されることになり、このカード挿入部３３に挿入された作業者ＩＤカード３６に対して一対一で対応する装填部ＲＦＩＤリーダライタ３２が、ＲＦＩＤインレット３５に情報を無線で読み書き可能となっている。
【００６１】
そして、現金取引室２０内のすべての現金取引機２６の制御部３７は、同じ現金取引室２０に設置されたパーソナルコンピュータからなる一台の現金データの集計、所用の管理用の取引先管理機４０に通信可能に接続されており、すべての現金取引機２６の入出金処理のデータ等を取引先管理機４０に送信するようになっている。これにより、取引先管理機４０は、いずれの現金取引機２６のいずれの現金カセット１５の収納量がどれだけであるかをすべての現金カセット１５について把握することができるようになっている。また、取引先管理機４０は、回収の要否を判断可能になっている。
【００６２】
図５に示すように、上記した取引先管理機４０は、搬送作業者Ｗよりも上位の管理者Ｍ１による操作入力が行われるキーボード４１ａおよびカードリーダ４１ｂを含む操作部４１と、管理者Ｍ１に対し表示を行う表示部４２と、すべての現金取引機２６のデータ等を記憶する記憶部４３と、これらを制御する制御部４４とを有している。この取引先管理機４０の制御部４４には、警報を発生する警報装置４５と、ＲＦＩＤインレット３０，３５に対し無線で情報を読み書き可能な登録用ＲＦＩＤリーダライタ４６とが接続されている。また、制御部４４は、通信制御装置４７を介して、外部または社内ＬＡＮと通信可能となっている。なお、操作部４１のカードリーダ４１ｂは、管理者Ｍ１のみが所持する管理者ＩＤカード５０の電子データを読み取る。
【００６３】
図２に示すように、現金取引室２０の出入口２３に通じるゲート２５には、ゲート２５を通るＲＦＩＤインレット３０，３５に対し情報を無線で読み書き可能なゲート用ＲＦＩＤリーダライタ４９が設けられており、このゲート用ＲＦＩＤリーダライタ４９も図５に示す取引先管理機４０の制御部４４に接続されている。
【００６４】
上記のような複数の取引先１０に対し共通で一カ所設けられた現金収集センタ１００には、図６に示すように、収集した売上金の管理および釣銭準備金の作成を行うための現金処理室１２０が設置されている。
【００６５】
この現金処理室１２０も、四方が側壁１２１ａ〜１２１ｄで囲まれて構成されており、所定の側壁１２１ａのみに一カ所の出入口１２３が形成されていて、この出入口１２３には出入口１２３を開閉するドア１２４が取り付けられている。なお、現金処理室１２０内には、側壁１２１ｂとで出入口１２３を挟むように仕切壁１２１ｅが設けられており、これら側壁１２１ｂと仕切壁１２１ｅとで出入口１２３に通じるゲート１２５が形成されている。現金処理室１２０に出入りする場合は、必ず出入口１２３およびゲート１２５を通ることになる。
【００６６】
現金処理室１２０内には、取引先１０から収集した売上金等の現金を精算処理するとともに釣銭準備金を作成するための現金処理機１２６が複数台設置されている。各現金処理機１２６には、機外から投入された貨幣を計数して収納するとともに収納した貨幣を出金可能な入出金機が用いられる。ここで、取引先１０から収集した現金カセット１５は、キー操作で開放されて現金が取り出されることになり、このように取り出された現金が現金処理機１２６で精算処理されることになる。なお、取引先１０から収集した売上金の管理を行う現金処理機１２６と、取引先への釣銭準備金を作成するための現金処理機１２６とをそれぞれ専用に設けても良い。
【００６７】
各現金処理機１２６には、入出金処理を制御する制御部１３７が設けられている。そして、現金処理室１２０内のすべての現金処理機１２６の制御部１３７は、同じ現金処理室１２０に設置されたパーソナルコンピュータからなる、現金データの集計や所用の管理のためのセンタ管理機１４０に通信可能に接続されており、すべての現金処理機１２６の入出金処理のデータ等をセンタ管理機１４０に送信するようになっている。
【００６８】
図７に示すように、上記したセンタ管理機１４０は、搬送作業者Ｗよりも上位の管理者Ｍ２による操作入力が行われるキーボード１４１ａおよびカードリーダ１４１ｂを含む操作部１４１と、管理者Ｍ２に対し表示を行う表示部１４２と、すべての現金処理機１２６のデータ等を記憶する記憶部１４３と、これらを制御する制御部１４４とを有している。このセンタ管理機１４０の制御部１４４には、警報を発生する警報装置１４５と、ＲＦＩＤインレット３０，３５に対し無線で情報を読み書き可能な登録用ＲＦＩＤリーダライタ１４６とが接続されている。また、制御部１４４は、通信制御装置１４７を介して、外部または社内ＬＡＮと通信可能となっている。
【００６９】
図６に示すように、現金処理室１２０の出入口１２３に通じるゲート１２５には、ゲート１２５を通るＲＦＩＤインレット３０，３５に対し情報を無線で読み書き可能なゲート用ＲＦＩＤリーダライタ１４９が設けられており、このゲート用ＲＦＩＤリーダライタ１４９も図７に示すセンタ管理機１４０の制御部１４４に接続されている。
【００７０】
第１実施形態の現金カセット搬送監視システムにおいては、現金取引機２６が設置される取引先１０を搬送元である第１の場所とし、現金収集センタ１００を搬送先である第２の場所とし、取引先１０から現金収集センタ１００への現金回収のための現金カセット１５の搬送を監視する。以下、この搬送監視制御の制御内容について説明する。
【００７１】
警備会社では、予め設定された回収ルートに基づく適宜のタイミング、あるいは所定台数以上の現金カセット１５で満杯が検出されて取引先管理機４０の制御部４４から回収依頼信号が送られたタイミング等で、搬送作業者Ｗを現金収集センタ１００から取引先１０の現金取引室２０に向かわせて現金カセット１５の搬出を行わせることになる。
【００７２】
つまり、搬送作業者Ｗは、対象となる取引先１０の現金取引室２０に入室して、対象となる現金取引機２６を現金カセット１５が取り出し可能な回収モードとし、取出対象の現金カセット１５に一対一で対応するカード挿入部３３に作業者ＩＤカード３６を挿入する。すると、適正な作業者ＩＤカード３６が挿入されたことを条件に、この現金取引機２６の制御部３７が、取出対象の現金カセット１５に一対一で対応する装填部ＲＦＩＤリーダライタ３２（搬出側カセット読取手段，書込手段）により、取出対象の現金カセット１５のＲＦＩＤインレット３０に予め記憶されたカセットＩＤ情報を読み出して、これを作業者ＩＤカード３６のＲＦＩＤインレット３５に書き込む。そして、このような作業者ＩＤカード３６への記憶が完了したことを条件に、この取出対象の現金カセット１５をカセット装填部２７が取り外し可能となる。すると、搬送作業者Ｗは、この取出対象の現金カセット１５をカセット装填部２７から取り出すとともに、代わりに現金収集センタ１００から別途持参した釣銭準備金が収納された現金カセット１５（現金取引機２６が入出金機の場合）もしくは空の現金カセット１５（現金取引機２６が入金機の場合）をカセット装填部２７に装填する。
【００７３】
なお、一つの現金取引機２６に対して回収する現金カセット１５が複数ある場合、上記の作業を現金カセット１５それぞれに対し行うことになる。勿論、一カ所の取引先１０で複数の現金処理機２６から現金カセット１５を回収する場合、さらには複数カ所の取引先１０から現金カセット１５を回収する場合も同様で、これにより、一の回収処理において、現金処理機２６から取り出されたすべての現金カセット１５のカセットＩＤ情報が搬送作業者Ｗの作業者ＩＤカード３６に記憶される。例えば、一の回収処理で現金カセット１５（ａ），１５（ｂ），１５（ｃ），１５（ｄ），１５（ｅ），１５（ｆ），１５（ｇ），１５（ｈ），１５（ｉ），１５（ｊ）の１０台を回収する場合には、これら１０台分の個別のカセットＩＤ情報がこれらを搬送する搬送作業者Ｗの一枚の作業者ＩＤカード３６に記憶される（（ａ）〜（ｊ）は各現金カセット１５の識別のために説明の便宜上付与したもの。以下同じ。）。また、現金カセット１５の取り出しに際し、取出対象の現金カセット１５に一対一で対応するカード挿入部３３に作業者ＩＤカード３６を挿入し、取出対象の現金カセット１５に一対一で対応する装填部ＲＦＩＤリーダライタ３２により、取出対象の現金カセット１５のＲＦＩＤインレット３０に予め記憶されたカセットＩＤ情報を読み出して、これを作業者ＩＤカード３６のＲＦＩＤインレット３５に書き込むと説明したが、これに限るものではない。すなわち、現金カセット１５に一対一で対応するカード挿入部３３の代わりに、現金取引機２６の制御部３７に接続される一つの作業者用ＲＦＩＤリーダライタを設け、現金カセット１５の回収に際し、現金カセット１５の取り出し直前までに記憶部３８に記憶されていたカセットＩＤ情報と、現金カセット１５の取り出し直後の装填部ＲＦＩＤリーダライタ３２により検出された新たな現金カセット１５のカセットＩＤ情報との間で、変化のあったカセットＩＤ情報、すなわち、記憶部３８に記憶されていたが、装填部ＲＦＩＤリーダライタ３２によって検出されなくなったカセットＩＤ情報を持つ現金カセット１５が取り出されたものとして、当該現金カセット１５のカセットＩＤ情報を、制御部３７に接続される一つの作業者用ＲＦＩＤリーダライタを介して、作業者ＩＤカード３６のＲＦＩＤインレット３５に書き込むようにしても良い。
【００７４】
そして、搬送作業者Ｗが、運搬車を用いて、一の回収処理で回収したすべての現金カセット１５を持って現金収集センタ１００に戻り、その現金処理室１２０に出入口１２３からゲート１２５を通って入室することになる。このときに、ゲート１２５に設けられたゲート用ＲＦＩＤリーダライタ１４９（搬入側カセット読取手段，カード読取手段）が、一の回収処理で搬入されたすべての現金カセット１５のＲＦＩＤインレット３０からカセットＩＤ情報、取引先ＩＤ情報およびカセット内在り高情報を読み取るとともに、作業者ＩＤカード３６のＲＦＩＤインレット３５からも、作業者ＩＤ情報および今回の回収で書き込まれたカセットＩＤ情報を読み取って、これらの情報をセンタ管理機１４０の制御部１４４（搬入側確認手段）に送信する。
【００７５】
すると、制御部１４４は、これらの情報を記憶部１４３に記憶するとともに、ゲート用ＲＦＩＤリーダライタ１４９で現金カセット１５のＲＦＩＤインレット３０から読み取ったカセットＩＤ情報と、ゲート用ＲＦＩＤリーダライタ１４９で作業者ＩＤカード３６のＲＦＩＤインレット３５から読み取ったカセットＩＤ情報との整合を確認する。
【００７６】
つまり、作業者ＩＤカード３６がゲート用ＲＦＩＤリーダライタ１４９で検出される前後の所定時間を確認時間とし、この確認時間内に、作業者ＩＤカード３６のＲＦＩＤインレット３５から読み取ったすべてのカセットＩＤ情報に対して、一致するカセットＩＤ情報を現金カセット１５のＲＦＩＤインレット３０から読み取ることができれば、整合していることが確認できるため、搬入が正常であったと判定し、正常であった旨を記憶部１４３に記憶するとともに表示部１４２に表示させることになる。例えば、上記のように、一の回収処理で回収したすべての現金カセット１５が現金カセット１５（ａ）〜１５（ｊ）の１０台である場合には、作業者ＩＤカード３６のＲＦＩＤインレット３５から、これら現金カセット１５（ａ）〜１５（ｊ）の１０台分のカセットＩＤ情報を読み取ることになり、これに対し、現金カセット１５（ａ）のカセットＩＤ情報、現金カセット１５（ｂ）のカセットＩＤ情報、現金カセット１５（ｃ）のカセットＩＤ情報、現金カセット１５（ｄ）のカセットＩＤ情報、現金カセット１５（ｅ）のカセットＩＤ情報、現金カセット１５（ｆ）のカセットＩＤ情報、現金カセット１５（ｇ）のカセットＩＤ情報、現金カセット１５（ｈ）のカセットＩＤ情報、現金カセット１５（ｉ）のカセットＩＤ情報および現金カセット１５（ｊ）のカセットＩＤ情報を各現金カセット１５のＲＦＩＤインレット３０から読み取ると、搬入が正常であったと判定する。
【００７７】
他方、上記した確認時間経過後までに、作業者ＩＤカード３６のＲＦＩＤインレット３５から読み取ったすべてのカセットＩＤ情報のうち、一つでも現金カセット１５のＲＦＩＤインレット３０から読み取ることができないカセットＩＤ情報があれば、整合していないことを確認できるため、搬入が異常であったと判定し、異常であった旨を記憶部１４３に記憶するとともに表示部１４２に表示させ、警報装置１４５で警報を発生させることになる。
【００７８】
現金収集センタ１００に搬入されたすべての現金カセット１５は、別途のキーで開放されて、それぞれに収納していた貨幣が取り出されることになり、取り出された貨幣は現金収集センタ１００の現金処理機１２６で精算処理されることになって、それぞれの精算処理の入金金額が、対応する取引先１０の口座に入金されることになる。
【００７９】
ここで、ゲート用ＲＦＩＤリーダライタ１４９は、上記したように、現金カセット１５のＲＦＩＤインレット３０から、それぞれの現金カセット１５が搬出された取引先１０の取引先ＩＤ情報と、それぞれの現金カセット１５のカセット内在り高情報とを読み出すことになり、これらの情報を関連づけして、一の回収処理の結果として、センタ管理機１４０の制御部１４４が記憶部１４３に記憶させることになる。
【００８０】
なお、現金カセット搬送監視システムの各構成のうち、上記した現金カセット１５の搬送監視制御に無関係な構成は設けなくても良い。例えば、現金取引機２６を現金の入金のみが可能な入金機としても良く、ゲート用ＲＦＩＤリーダライタ１４９を、ＲＦＩＤインレット３０，３５から情報の読み取りのみが可能なＲＦＩＤリーダとしても良い。また、作業者ＩＤカード３６のＲＦＩＤインレット３５への上記した情報の書き込みを、装填部ＲＦＩＤリーダライタ３２ではなく、取引先管理機４０の登録用ＲＦＩＤリーダライタ４６で行っても良く、その場合は、現金取引機２６にカード挿入部３３を設けなくても良い。
【００８１】
以上に述べた第１実施形態の現金カセット搬送監視システムによれば、搬送元である取引先１０の現金取引室２０において、搬出する現金カセット１５のＲＦＩＤインレット３０から装填部ＲＦＩＤリーダライタ３２でカセットＩＤ情報を読み取り、このカセットＩＤ情報を装填部ＲＦＩＤリーダライタ３２でカード挿入部３３に挿入された搬送作業者Ｗに付帯の作業者ＩＤカード３６のＲＦＩＤインレット３５に書き込む。そして、搬送作業者Ｗが現金カセット１５を搬送先となる現金収集センタ１００の現金処理室１２０に搬入すると、現金処理室１２０のゲート用ＲＦＩＤリーダライタ１４９が、搬入した現金カセット１５のＲＦＩＤインレット３０からカセットＩＤ情報を読み取るとともに作業者ＩＤカード３６のＲＦＩＤインレット３５からカセットＩＤ情報を読み取る。すると、センタ管理機１４０の制御部１４４が、作業者ＩＤカード３６から読み取ったカセットＩＤ情報と現金カセット１５から読み取ったカセットＩＤ情報との整合を確認することになる。つまり、作業者ＩＤカード３６から読み取ったすべてのカセットＩＤ情報と一致するカセットＩＤ情報を、搬入される現金カセット１５から検出できて整合しているか、否かを判断する。これにより、取引先１０から搬出された現金カセット１５が適正に現金収集センタ１００の現金処理室１２０に搬入されたか否かを確認できる。このように、取引先１０の現金取引室２０において搬出管理として現金カセット１５からのカセットＩＤ情報の読み取りおよび作業者ＩＤカード３６へのカセットＩＤ情報の書き込みを行い、現金収集センタ１００の現金処理室１２０において搬入管理として現金カセット１５からのカセットＩＤ情報の読み取りおよび作業者ＩＤカード３６からのカセットＩＤ情報の読み取りを行えば良いため、搬送元から搬出された現金カセット１５が適正に搬送先に搬入されたか否かの確認作業が容易となり、人為的ミスも生じにくいことから、管理上良好となる。
【００８２】
また、ゲート用ＲＦＩＤリーダライタ１４９で作業者ＩＤカード３６から読み取ったカセットＩＤ情報と、ゲート用ＲＦＩＤリーダライタ１４９で現金カセット１５から読み取ったカセットＩＤ情報とが整合しないことがセンタ管理機１４０の制御部１４４で確認されたとき、警報装置１４５で警報を発するため、運搬車への置き忘れ等の不整合を搬送作業者Ｗ等に確実に認識させることができる。
【００８３】
さらに、搬送元が、現金カセット１５が装填される現金取引機２６が設置される取引先１０であり、搬送先が、複数の取引先１０から現金カセット１５が収集される現金収集センタ１００であるため、取引先１０での搬出管理および現金収集センタ１００での搬入管理が容易且つ良好にできる。
【００８４】
加えて、取引先１０に設置された現金取引機２６から現金カセット１５を取り出す回収モード時に、現金取引機２６に組み込まれた装填部ＲＦＩＤリーダライタ３２で取り出す現金カセット１５からカセットＩＤ情報を読み取り、これを同じ装填部ＲＦＩＤリーダライタ３２で作業者ＩＤカード３６に書き込むことになる。このように、現金カセット１５が装填される現金取引機２６に、現金カセット１５からの読み取りおよび作業者ＩＤカード３６への書き込みを行う装填部ＲＦＩＤリーダライタ３２が組み込まれているため、現金カセット１５からの読み取りおよび作業者ＩＤカード３６への書き込みを現金取引機２６内で完結させることができ、取引先１０での搬出管理の人為的ミスを確実に防止することができる。
【００８５】
さらに、現金収集センタ１００のゲート用ＲＦＩＤリーダライタ１４９で、搬入された現金カセット１５に記録された取引先ＩＤ情報およびカセット内在り高情報を読み込むことで、読み込んだ現金カセット１５が、いずれの取引先の現金カセット１５であるのかと、その在り高情報とを容易に現金収集センタ１００側で入手できる。
【００８６】
加えて、ゲート用ＲＦＩＤリーダライタ１４９で読み込んだ現金カセット１５に記録された取引先ＩＤ情報およびカセット内在り高情報を記憶部１４３に記憶させるため、読み込んだ現金カセット１５が、いずれの取引先１０の現金カセット１５であるのかと、その在り高情報とを自動的に記憶することができる。よって、これらの情報に基づいて現金カセット１５の精査作業、その他の管理を容易に行うことができる。
【００８７】
さらに、一つの共用の装填部ＲＦＩＤリーダライタ３２で現金カセット１５からの読み取りおよび作業者ＩＤカード３６への書き込みを行うため、部品点数を減らして簡素化することができる。
【００８８】
加えて、一つの共用のゲート用ＲＦＩＤリーダライタ１４９で、現金カセット１５からのカセットＩＤ情報の読み取りおよび作業者ＩＤカード３６からのカセットＩＤ情報の読み取りを行うため、部品点数を減らして簡素化することができる。
【００８９】
次に、本発明の第２実施形態の現金カセット搬送監視システムを第１実施形態との相違部分を中心に説明する。なお、第２実施形態は第１実施形態に対し搬送監視制御の制御内容が異なっている。
【００９０】
第２実施形態の現金カセット搬送監視システムにおいて、現金取引機２６が設置される取引先１０を搬送元である第１の場所とし、現金収集センタ１００を搬送先である第２の場所とし、取引先１０から現金収集センタ１００への現金カセット１５の搬送を監視する点は、第１実施形態と同様である。
【００９１】
警備会社では、第１実施形態と同様に、搬送作業者Ｗを現金収集センタ１００から取引先１０の現金取引室２０に向かわせて現金カセット１５の回収を行わせることになる。つまり、搬送作業者Ｗは、一の現金取引室２０において対象となる現金取引機２６を現金カセット１５が取り出し可能な回収モードとして、取出対象の現金カセット１５をカセット装填部２７から取り出すとともに、代わりに現金収集センタ１００から別途持参した空の現金カセット１５を装填することになり、一の現金取引室２０において回収する現金カセット１５が複数ある場合、上記の作業を現金カセット１５それぞれに対し行うことになる。なお、第２実施形態では、カード挿入部３３への作業者ＩＤカード３６の挿入は行わない。
【００９２】
このように取り出した現金カセット１５を取引先１０の一の現金取引室２０から搬出する一の搬出処理において、ゲート２５に設けられたゲート用ＲＦＩＤリーダライタ４９（搬出側カセット読取手段，書込手段）が、すべての現金カセット１５のＲＦＩＤインレット３０に予め記憶されたカセットＩＤ情報を読み出して、これらを作業者ＩＤカード３６のＲＦＩＤインレット３５に順次書き込む。ここで、ゲート用ＲＦＩＤリーダライタ４９で作業者ＩＤカード３６が検出される前後の所定の搬出時間内に検出されたカセットＩＤ情報を一の搬出処理で搬出される現金カセット１５のカセットＩＤ情報とする。複数カ所の取引先１０から現金カセット１５を回収する場合は、各取引先１０で現金取引室２０から搬出する際に同様に作業者ＩＤカード３６へのカセットＩＤ情報の書き込み、つまり搬出処理がそれぞれ行われる。
【００９３】
なお、ゲート用ＲＦＩＤリーダライタ４９で書き込み不可な位置まで作業者ＩＤカード３６のＲＦＩＤインレット３５が離れてしまった後に現金カセット１５に設けられたＲＦＩＤインレット３０のカセットＩＤ情報を検出することがなく、一の現金取引室２０から一の搬出処理で搬出するすべての現金カセット１５のカセットＩＤ情報を同じ作業者ＩＤカード３６のＲＦＩＤインレット３５に書き込み可能となるように、ゲート用ＲＦＩＤリーダライタ４９を出入口２３から離れて配置されるＲＦＩＤリーダと出入口２３の近くに配置されるＲＦＩＤライタとに分けたり、出入口２３からの距離が異なる複数の位置にゲート用ＲＦＩＤリーダライタ４９を設けたりすることが可能である。
【００９４】
そして、搬送作業者Ｗが、運搬車を用いて、複数の上記した搬出処理で構成される一の回収処理で各取引先１０から回収したすべての現金カセット１５を持って現金収集センタ１００の現金処理室１２０に出入口１２３からゲート１２５を通って入室することになるが、このときに、第１実施形態と同様に、ゲート１２５に設けられたゲート用ＲＦＩＤリーダライタ１４９（搬入側カセット読取手段，カード読取手段）が、搬入されるすべての現金カセット１５のＲＦＩＤインレット３０からカセットＩＤ情報、取引先ＩＤ情報およびカセット内在り高情報を読み取るとともに、作業者ＩＤカード３６のＲＦＩＤインレット３５からも、作業者ＩＤ情報および今回の回収で書き込まれたカセットＩＤ情報を読み取って、これらの情報をセンタ管理機１４０の制御部１４４（搬入側確認手段）に送信する。すると、制御部１４４は、これらの情報を記憶部１４３に記憶するとともに、ゲート用ＲＦＩＤリーダライタ１４９で現金カセット１５のＲＦＩＤインレット３０から読み取ったカセットＩＤ情報と、ゲート用ＲＦＩＤリーダライタ１４９で作業者ＩＤカード３６のＲＦＩＤインレット３５から読み取ったカセットＩＤ情報との整合を第１実施形態と同様に確認する。
【００９５】
つまり、作業者ＩＤカード３６がゲート用ＲＦＩＤリーダライタ１４９で検出される前後の所定時間を確認時間とし、この確認時間内に、作業者ＩＤカード３６のＲＦＩＤインレット３５から読み取ったすべてのカセットＩＤ情報に対し、各現金カセット１５のＲＦＩＤインレット３０から検出したカセットＩＤ情報がすべて一致すれば、整合していることが確認できるため、搬入が正常であったと判定し、正常であった旨を記憶部１４３に記憶するとともに表示部１４２に表示させることになる。他方、確認時間経過後に、作業者ＩＤカード３６のＲＦＩＤインレット３５から読み取ったすべてのカセットＩＤ情報のうち、一つでも現金カセット１５のＲＦＩＤインレット３０から読み取ることができないカセットＩＤ情報があれば、整合していないことを確認できるため、搬入が異常であったと判定し、異常であった旨を記憶部１４３に記憶するとともに表示部１４２に表示させ、警報装置１４５で警報を発生させることになる。
【００９６】
ここでも、ゲート用ＲＦＩＤリーダライタ１４９は、現金カセット１５のＲＦＩＤインレット３０から、それぞれの現金カセット１５が搬出された取引先１０の取引先ＩＤ情報と、それぞれの現金カセット１５のカセット内在り高情報とを読み出すことになり、これらの情報を関連づけして、一の回収処理の結果として、センタ管理機１４０の制御部１４４が記憶部１４３に記憶させることになる。
【００９７】
なお、現金カセット搬送監視システムの各構成のうち、上記した現金カセット１５の搬送監視制御に無関係な構成は設けなくても良い。例えば、現金取引機２６に、装填部ＲＦＩＤリーダライタ３２およびカード挿入部３３を設けなくても良い。
【００９８】
以上に述べた第２実施形態の現金カセット搬送監視システムによれば、搬送元である取引先１０の現金取引室２０において、搬出する現金カセット１５のＲＦＩＤインレット３０からゲート用ＲＦＩＤリーダライタ４９でカセットＩＤ情報を読み取り、このカセットＩＤ情報をゲート用ＲＦＩＤリーダライタ４９で搬送作業者Ｗに付帯の作業者ＩＤカード３６のＲＦＩＤインレット３５に書き込む。そして、搬送作業者Ｗが現金カセット１５を搬送先となる現金収集センタ１００の現金処理室１２０に搬入し、ゲート用ＲＦＩＤリーダライタ１４９で、搬入した現金カセット１５のＲＦＩＤインレット３０からカセットＩＤ情報を読み取るとともに作業者ＩＤカード３６のＲＦＩＤインレット３５からカセットＩＤ情報を読み取る。すると、センタ管理機１４０の制御部１４４が、作業者ＩＤカード３６から読み取ったカセットＩＤ情報と現金カセット１５から読み取ったカセットＩＤ情報との整合を確認することになり、これにより、取引先１０から搬出された現金カセット１５が適正に現金収集センタ１００の現金処理室１２０に搬入されたか否かを確認できる。よって、第１実施形態と同様の効果を奏することができる。
【００９９】
また、搬出元である取引先１０の現金取引室２０に設置された現金取引機２６から現金カセット１５を取り出し、現金取引室２０から持ち出そうと出入口２３を通ると、この出入口２３の近傍に配置されたゲート用ＲＦＩＤリーダライタ４９が、現金カセット１５からカセットＩＤ情報を読み取った後、同じゲート用ＲＦＩＤリーダライタ４９がこのカセットＩＤ情報を作業者ＩＤカード３６に書き込む。このように、搬出時に出入口２３を通ることに関連して自動的に現金カセット１５からの読み取りおよび作業者ＩＤカード３６への書き込みを行うことができるため、取引先１０での搬出管理の人為的ミスを確実に防止することができる。また、仮に保守、障害対応等で現金カセット１５を現金取引機２６から取り出した場合に、回収扱いすることなく誤って搬出してしまう場合でも、搬出時点で自動的に搬出管理を行うことができる。
【０１００】
さらに、搬出元である取引先１０において一つの共用のゲート用ＲＦＩＤリーダライタ４９で現金カセット１５からの読み取りおよび作業者ＩＤカード３６への書き込みを行うため、部品点数を減らして簡素化することができる。
【０１０１】
次に、本発明の第３実施形態の現金カセット搬送監視システムを第１，第２実施形態との相違部分を中心に説明する。なお、第３実施形態は第１，第２実施形態に対し搬送監視制御の制御内容が異なっている。
【０１０２】
第３実施形態の現金カセット搬送監視システムにおいても、現金取引機２６が設置される取引先１０を搬送元である第１の場所とし、現金収集センタ１００を搬送先である第２の場所とし、取引先１０から現金収集センタ１００への現金カセット１５の搬送を監視する点は第１，第２実施形態と同様である。
【０１０３】
警備会社では、搬送作業者Ｗを現金収集センタ１００から取引先１０の現金取引室２０に向かわせて現金カセット１５の回収を行わせることになるが、搬送作業者Ｗが現金取引室２０に入室し、現金カセット１５の持ち出しを管理者Ｍ１に要求すると、管理者Ｍ１は、取引先管理機４０に対し、管理者Ｍ１のみが所持する管理者ＩＤカード５０を操作部４１のカードリーダ４１ｂに読み取らせる。取引先管理機４０は、カードリーダ４１ｂで読み取った管理者ＩＤ情報（具体的には管理者識別番号）から管理者Ｍ１の適正な認証が行われた場合に限り、その後、現金取引室２０から持ち出す現金カセット１５の入力用カセットＩＤ情報の入力を許可する状態となる。つまり、記憶部４３には適正な管理者Ｍ１の管理者ＩＤ情報のリストが記憶されており、制御部４４は、カードリーダ４１ｂで読み取った管理者ＩＤ情報に一致する管理者ＩＤ情報が記憶部４３のリストに載っていれば管理者Ｍ１が適正であると認証して入力用カセットＩＤ情報の入力を許可する一方、リストに載っていなければ管理者Ｍ１が不適正と判断して入力用カセットＩＤ情報の入力を許可せずに、警報装置４５にアラームを発生させる。
【０１０４】
管理者Ｍ１の適正な認証が行われると、管理者Ｍ１は、いずれの現金取引機２６のいずれのカセット装填部２７の現金カセット１５を持ち出すかを取引先管理機４０の操作部４１に入力する。このとき、取引先管理機４０の制御部４４が、例えば、一の現金取引室２０にあるすべての現金取引機２６のすべてのカセット装填部２７の現金カセット１５について、満杯を含む収納量の状況を判定し、所定の収納量以上の現金カセット１５が装填されたカセット装填部２７のみを回収対象として表示部４２に表示させることになり、これに基づいて管理者Ｍ１が指定入力を行う。つまり、管理者Ｍ１は、取引先管理機４０の操作部４１で、回収対象の現金取引機２６の取引機ＩＤ情報（具体的には取引機識別番号）およびこれに関連する回収対象の装填部ＩＤ情報（具体的には取引機識別番号の枝番としての装填部識別番号）を、回収対象の持ち出す現金カセット１５の入力用カセットＩＤ情報として入力する。なお、操作部４１で自動入力の入力操作が行われると、制御部４４が、上記した回収対象のカセット装填部２７について、回収対象の現金取引機２６の取引機ＩＤ情報および装填部ＩＤ情報を、回収対象の持ち出す現金カセット１５の入力用カセットＩＤ情報として自動で入力する。
【０１０５】
すると、取引先管理機４０の制御部４４は、取引機ＩＤ情報および装填部ＩＤ情報の組み合わせに対し、一対一で対応する装填部ＲＦＩＤリーダライタ３２でカセット装填部２７に装填された現金カセット１５のＲＦＩＤインレット３０からカセットＩＤ情報を読み出させて、記憶部４３に記憶させる。このとき、回収対象の持ち出す現金カセット１５の入力用カセットＩＤ情報として、取引機ＩＤ情報を入力するとともに機内すべてのカセット装填部２７を指定する旨の全指定の入力操作を行うと、取引先管理機４０は、取引機ＩＤ情報に対応する現金取引機２６のすべてのカセット装填部２７を回収対象として、当該現金取引機２６のすべてのカセット装填部２７に装填されているすべての現金カセット１５のＲＦＩＤインレット３０から装填部ＲＦＩＤリーダライタ３２でカセットＩＤ情報を読み取らせて関連づけして記憶部４３に記憶させる。
【０１０６】
その後、回収対象として入力されたカセット装填部２７から搬送作業者Ｗによって現金カセット１５が取り出される。つまり、搬送作業者Ｗは、対象となる現金取引機２６を現金カセット１５が取り出し可能な回収モードとして、取出対象の現金カセット１５をカセット装填部２７から取り出すとともに、代わりに現金収集センタ１００から別途持参した空の現金カセット１５を装填する。回収する現金カセット１５が複数ある場合、上記の作業を現金カセット１５それぞれに対し行うことになる。また、必要により複数の現金取引機２６から現金カセット１５を取り出す。
【０１０７】
このようにして一の搬出処理で一の現金取引室２０の現金取引機２６から取り出された現金カセット１５がこの現金取引室２０から持ち出されることになるが、その際に、搬送作業者Ｗが現金カセット１５を持って出入口２３の近傍に設けられたゲート２５を通ると、ゲート２５のゲート用ＲＦＩＤリーダライタ４９（搬出側カセット読取手段，書込手段）が通過した現金カセット１５のＲＦＩＤインレット３０からカセットＩＤ情報を読み取って取引先管理機４０に出力することになる。取引先管理機４０の制御部４４は、この読み取ったカセットＩＤ情報から、一の搬出処理で取引先管理機４０に入力された入力用カセットＩＤ情報に対応するカセットＩＤ情報と同じカセットＩＤ情報を確認した場合には、正常搬出であると判定して、このカセットＩＤ情報を有する現金カセット１５が持ち出されたことを記憶部４３に記憶させるとともに、このカセットＩＤ情報を作業者ＩＤカード３６のＲＦＩＤインレット３５に記憶させる。例えば、一の搬出処理で取引先管理機４０に入力された入力用カセットＩＤ情報に対応するカセットＩＤ情報を有する現金カセット１５が、現金カセット１５（ａ）〜１５（ｊ）の１０台である場合には、現金カセット１５（ａ）のカセットＩＤ情報がゲート用ＲＦＩＤリーダライタ４９で検出されると、このカセットＩＤ情報を作業者ＩＤカード３６のＲＦＩＤインレット３５に記憶させ、同様に、現金カセット１５（ｂ）のカセットＩＤ情報が検出されると、このカセットＩＤ情報を作業者ＩＤカード３６に記憶させ、現金カセット１５（ｃ）のカセットＩＤ情報が検出されると、このカセットＩＤ情報を作業者ＩＤカード３６に記憶させ、現金カセット１５（ｄ）のカセットＩＤ情報が検出されると、このカセットＩＤ情報を作業者ＩＤカード３６に記憶させ、現金カセット１５（ｅ）のカセットＩＤ情報が検出されると、このカセットＩＤ情報を作業者ＩＤカード３６に記憶させ、現金カセット１５（ｆ）のカセットＩＤ情報が検出されると、このカセットＩＤ情報を作業者ＩＤカード３６に記憶させ、現金カセット１５（ｇ）のカセットＩＤ情報が検出されると、このカセットＩＤ情報を作業者ＩＤカード３６に記憶させ、現金カセット１５（ｈ）のカセットＩＤ情報が検出されると、このカセットＩＤ情報を作業者ＩＤカード３６に記憶させ、現金カセット１５（ｉ）のカセットＩＤ情報が検出されると、このカセットＩＤ情報を作業者ＩＤカード３６に記憶させ、現金カセット１５（ｊ）のカセットＩＤ情報が検出されると、このカセットＩＤ情報を作業者ＩＤカード３６に記憶させる。
【０１０８】
他方、ゲート用ＲＦＩＤリーダライタ４９で現金カセット１５に設けられたＲＦＩＤインレット３０のカセットＩＤ情報を検出し、一の搬出処理で取引先管理機４０に入力された入力用カセットＩＤ情報に対応するカセットＩＤ情報と同じカセットＩＤ情報以外のカセットＩＤ情報を確認した場合に、制御部４４が、正常搬出でない異常搬出と判断して、警報装置４５で警報を発生させる。このときは、カセットＩＤ情報を作業者ＩＤカード３６のＲＦＩＤインレット３５に記憶させることはない。例えば、一の搬出処理で取引先管理機４０に入力された入力用カセットＩＤ情報に対応するカセットＩＤ情報を有する現金カセット１５が、現金カセット１５（ａ）〜１５（ｊ）の１０台である場合に、これら以外の現金カセット１５（ｋ）のカセットＩＤ情報を確認した場合に、制御部４４が、異常搬出と判断する。
【０１０９】
このように取り出した現金カセット１５を取引先１０の現金取引室２０から搬出する際に、ゲート２５に設けられたゲート用ＲＦＩＤリーダライタ４９（搬出側カセット読取手段，書込手段）が、すべての現金カセット１５のＲＦＩＤインレット３０からカセットＩＤ情報を読み出して、これらのカセットＩＤ情報を、それぞれ入力用カセットＩＤ情報に対応することを条件に、作業者ＩＤカード３６のＲＦＩＤインレット３５に順次書き込む。複数カ所の取引先１０から現金カセット１５を回収する場合は、各取引先１０で現金取引室２０から搬出する際に同様に作業者ＩＤカード３６へのカセットＩＤ情報の書き込みが行われる。
【０１１０】
なお、第２実施形態と同様、一の搬出処理で搬出するすべての現金カセット１５のカセットＩＤ情報を同じ作業者ＩＤカード３６のＲＦＩＤインレット３５に書き込み可能となるように、ゲート用ＲＦＩＤリーダライタ４９を出入口２３から離れて配置されるＲＦＩＤリーダと出入口２３の近くに配置されるＲＦＩＤライタとに分けたり、出入口２３からの距離が異なる複数の位置にゲート用ＲＦＩＤリーダライタ４９を設けたりすることが可能である。
【０１１１】
そして、搬送作業者Ｗが、複数の搬出処理からなる一の回収処理で各取引先１０から回収したすべての現金カセット１５を持って現金収集センタ１００の現金処理室１２０に出入口１２３からゲート１２５を通って入室することになるが、このときに、第１，第２実施形態と同様に、ゲート１２５に設けられたゲート用ＲＦＩＤリーダライタ１４９（搬入側カセット読取手段，カード読取手段）が、搬入されるすべての現金カセット１５のＲＦＩＤインレット３０からカセットＩＤ情報を読み取るとともに、作業者ＩＤカード３６からもＲＦＩＤインレット３５からカセットＩＤ情報を読み取って、これらの情報をセンタ管理機１４０の制御部１４４（搬入側確認手段）に送信する。すると、制御部１４４は、これらの情報を記憶部１４３に記憶するとともに、ゲート用ＲＦＩＤリーダライタ１４９で現金カセット１５のＲＦＩＤインレット３０から読み取ったカセットＩＤ情報と、ゲート用ＲＦＩＤリーダライタ１４９で作業者ＩＤカード３６のＲＦＩＤインレット３５から読み取ったカセットＩＤ情報との整合を第１実施形態と同様に確認する。
【０１１２】
つまり、作業者ＩＤカード３６がゲート用ＲＦＩＤリーダライタ１４９で検出される前後の所定時間を確認時間とし、この確認時間内に、作業者ＩＤカード３６のＲＦＩＤインレット３５から読み取ったすべてのカセットＩＤ情報に対し、各現金カセット１５のＲＦＩＤインレット３０から検出したカセットＩＤ情報がすべて一致すれば、整合していることが確認できるため、搬入が正常であったと判定し、正常であった旨を記憶部１４３に記憶するとともに表示部１４２に表示させることになる。他方、確認時間経過後に、作業者ＩＤカード３６のＲＦＩＤインレット３５から読み取ったすべてのカセットＩＤ情報のうち、一つでも現金カセット１５のＲＦＩＤインレット３０から読み取ることができないカセットＩＤ情報があれば、整合していないことを確認できるため、搬入が異常であったと判定し、異常であった旨を記憶部１４３に記憶するとともに表示部１４２に表示させ、警報装置１４５で警報を発生させることになる。
【０１１３】
ここでも、ゲート用ＲＦＩＤリーダライタ１４９は、現金カセット１５のＲＦＩＤインレット３０から、それぞれの現金カセット１５が搬出された取引先１０の取引先ＩＤ情報と、それぞれの現金カセット１５のカセット内在り高情報とを読み出すことになり、これらの情報を、センタ管理機１４０の制御部１４４が記憶部１４３に記憶させることになる。
【０１１４】
以上に述べた第３実施形態の現金カセット搬送監視システムによれば、搬送元である取引先１０の現金取引室２０において、搬出する現金カセット１５のＲＦＩＤインレット３０からゲート用ＲＦＩＤリーダライタ４９でカセットＩＤ情報を読み取り、このカセットＩＤ情報をゲート用ＲＦＩＤリーダライタ４９で搬送作業者Ｗに付帯の作業者ＩＤカード３６のＲＦＩＤインレット３５に書き込む。そして、搬送作業者Ｗが現金カセット１５を搬送先となる現金収集センタ１００の現金処理室１２０に搬入し、ゲート用ＲＦＩＤリーダライタ１４９で、搬入した現金カセット１５のＲＦＩＤインレット３０からカセットＩＤ情報を読み取るとともに作業者ＩＤカード３６のＲＦＩＤインレット３５からカセットＩＤ情報を読み取る。すると、センタ管理機１４０の制御部１４４が、作業者ＩＤカード３６から読み取ったカセットＩＤ情報と現金カセット１５から読み取ったカセットＩＤ情報との整合を確認することになり、これにより、取引先１０から搬出された現金カセット１５が適正に現金収集センタ１００の現金処理室１２０に搬入されたか否かを確認できる。よって、第１，第２実施形態と同様の効果を奏することができる。
【０１１５】
また、第１の場所である取引先１０の現金取引室２０に設けられた取引先管理機４０に、搬出する現金カセット１５を指定操作した後、現金取引室２０の現金取引機２６から現金カセット１５を取り出し、現金取引室２０から持ち出そうと出入口２３を通ると、この出入口２３の近傍に配置されたゲート用ＲＦＩＤリーダライタ４９が現金カセット１５からカセットＩＤ情報を読み取った後、取引先管理機４０の制御部４４が、当該カセットＩＤ情報が、取引先管理機４０に入力されたカセットＩＤ情報に対応する正常搬出か対応しない異常搬出かを確認することになる。そして、制御部４４で正常搬出が確認されると、ゲート用ＲＦＩＤリーダライタ４９が、読み取ったカセットＩＤ情報を作業者ＩＤカード３６に書き込むことになる。したがって、持ち出す現金カセット１５を指定操作する場合に、指定操作または持ち出しの人為的ミスを確実に防止することができる。
【０１１６】
しかも、制御部４４で異常搬出が確認されると、警報装置４５が警報を発するため、異常搬出を作業者Ｗ等に確実に認識させることができる。
【０１１７】
次に、本発明の第４実施形態の現金カセット搬送監視システムを第１〜第３実施形態との相違部分を中心に説明する。
【０１１８】
第４実施形態の現金カセット搬送監視システムは、第１〜第３実施形態とは異なり、現金収集センタ１００を搬送元である第１の場所とし、現金取引機２６が設置される一の取引先１０を搬送先である第２の場所として、現金収集センタ１００から一の取引先１０への現金カセット１５の搬送を監視するものである。
【０１１９】
取引先１０の現金取引室２０では、例えば売り場で使用する釣銭準備金を現金取引機２６から出金させる場合があるが、この釣銭準備金が不足した場合に、警備会社では、搬送作業者Ｗを現金収集センタ１００から一の取引先１０の現金取引室２０に向かわせて現金取引機２６の現金カセット１５を釣銭準備金が充填された現金カセット１５に交換させることがある。第４実施形態では、このような現金の搬送を監視する。
【０１２０】
まず、現金収集センタ１００の現金処理機１２６から釣銭準備金を出金させると、作業者Ｗが、この釣銭準備金を現金カセット１５に収納してキーでロックするとともに、センタ管理機１４０の操作部１４１への操作で、登録用ＲＦＩＤリーダライタ１４６を用いて、この釣銭準備金を収納した現金カセット１５のＲＦＩＤインレット３０に、収納した釣銭準備金の金額であるカセット内在り高情報を記憶させる。
【０１２１】
このようにして釣銭準備金を収納した現金カセット１５を、一台あるいは複数台、作業者Ｗが、現金収集センタ１００の現金処理室１２０のゲート１２５および出入口１２３を通って搬出することになるが、その際に、ゲート１２５に設けられたゲート用ＲＦＩＤリーダライタ１４９（搬出側カセット読取手段，書込手段）が、一の搬出処理で搬出するすべての現金カセット１５のＲＦＩＤインレット３０に予め記憶されたカセットＩＤ情報を読み出して、これらを作業者ＩＤカード３６のＲＦＩＤインレット３５に順次書き込む。ここでも、ゲート用ＲＦＩＤリーダライタ１４９で作業者ＩＤカード３６が検出される前後の所定の搬出時間内に検出されたカセットＩＤ情報を一の搬出処理で搬出される現金カセット１５のカセットＩＤ情報とする。
【０１２２】
なお、一の搬出処理において、ゲート用ＲＦＩＤリーダライタ１４９で書き込み不可な位置まで作業者ＩＤカード３６のＲＦＩＤインレット３５が離れてしまった後に、現金カセット１５に設けられたＲＦＩＤインレット３０のカセットＩＤ情報を検出することがないように、ゲート用ＲＦＩＤリーダライタ１４９を出入口１２３から離れて配置されるＲＦＩＤリーダと出入口１２３の近くに配置されるＲＦＩＤライタとに分けたり、出入口１２３からの距離が異なる複数の位置にゲート用ＲＦＩＤリーダライタ１４９を設けたりすることが可能である。
【０１２３】
そして、搬送作業者Ｗが、現金カセット１５を持って、対応する一の取引先１０の現金取引室２０に出入口２３からゲート２５を通って入室することになるが、このときに、ゲート２５に設けられたゲート用ＲＦＩＤリーダライタ４９（搬入側カセット読取手段，カード読取手段）が、搬入されるすべての現金カセット１５のＲＦＩＤインレット３０からカセットＩＤ情報を読み取るとともに、作業者ＩＤカード３６からもＲＦＩＤインレット３５からカセットＩＤ情報を読み取って、これらの情報を取引先管理機４０の制御部４４（搬入側確認手段）に送信する。すると、制御部４４は、これらの情報を記憶部４３に記憶するとともに、ゲート用ＲＦＩＤリーダライタ４９で現金カセット１５のＲＦＩＤインレット３０から読み取ったカセットＩＤ情報と、ゲート用ＲＦＩＤリーダライタ４９で作業者ＩＤカード３６のＲＦＩＤインレット３５から読み取ったカセットＩＤ情報との整合を確認する。
【０１２４】
つまり、作業者ＩＤカード３６がゲート用ＲＦＩＤリーダライタ４９で検出される前後の所定時間を確認時間とし、この確認時間内に現金カセット１５のＲＦＩＤインレット３０から読み取ったカセットＩＤ情報が、すべて作業者ＩＤカード３６のＲＦＩＤインレット３５から読み取ったカセットＩＤ情報に対応していれば、整合していることが確認できるため、搬入が正常であったと判定し、正常であった旨を記憶部４３に記憶するとともに表示部４２に表示させることになる。他方、確認時間内に現金カセット１５のＲＦＩＤインレット３０から読み取ったカセットＩＤ情報のうち一つでも作業者ＩＤカード３６のＲＦＩＤインレット３５から読み取ったカセットＩＤ情報の中に対応していないカセットＩＤ情報があれば、整合していないことを確認できるため、搬入が異常であったと判定し、異常であった旨を記憶部４３に記憶するとともに表示部４２に表示させ、警報装置４５で警報を発生させることになる。
【０１２５】
そして、搬入した現金カセット１５を対応する現金取引機２６のカセット装填部２７に、それまで装填されていた現金カセット１５と交換で装填すると、カセット装填部２７に設けられた装填部ＲＦＩＤリーダライタ３２が、装填された現金カセット１５のＲＦＩＤインレット３０からカセット内在り高情報を読み出すことになり、この情報を現金取引機２６の制御部３７に送信する。すると、制御部３７は、取り出された現金カセット１５のカセット内在り高情報を装填された現金カセット１５のカセット内在り高情報に置き換えるようにして、記憶部３８に記憶された現金取引機２６内にある現金の在り高情報を更新する。
【０１２６】
なお、現金カセット搬送監視システムの各構成のうち、上記した現金カセット１５の搬送監視制御に無関係な構成は設けなくても良い。
【０１２７】
以上に述べた第４実施形態の現金カセット搬送監視システムによれば、搬送元である現金収集センタ１００の現金処理室１２０において、搬出する現金カセット１５のＲＦＩＤインレット３０からゲート用ＲＦＩＤリーダライタ１４９でカセットＩＤ情報を読み取り、このカセットＩＤ情報をゲート用ＲＦＩＤリーダライタ１４９で搬送作業者Ｗに付帯の作業者ＩＤカード３６のＲＦＩＤインレット３５に書き込む。そして、搬送作業者Ｗが現金カセット１５を搬送先となる一の取引先１０の現金取引室２０に搬入し、ゲート用ＲＦＩＤリーダライタ４９で、搬入した現金カセット１５のＲＦＩＤインレット３０からカセットＩＤ情報を読み取るとともに作業者ＩＤカード３６のＲＦＩＤインレット３５からカセットＩＤ情報を読み取る。すると、取引先管理機４０の制御部４４が、作業者ＩＤカード３６から読み取ったカセットＩＤ情報と現金カセット１５から読み取ったカセットＩＤ情報との整合を確認することになり、これにより、現金収集センタ１００の現金処理室１２０から搬出された現金カセット１５が適正に取引先１０の現金取引室２０に搬入されたか否かを確認できる。このように、現金収集センタ１００の現金処理室１２０において搬出管理として現金カセット１５からのカセットＩＤ情報の読み取りおよび作業者ＩＤカード３６へのカセットＩＤ情報の書き込みを行い、取引先１０の現金取引室２０において搬入管理として現金カセット１５からのカセットＩＤ情報の読み取りおよび作業者ＩＤカード３６からのカセットＩＤ情報の読み取りを行えば良いため、搬送元から搬出された現金カセット１５が適正に搬送先に搬入されたか否かの確認作業が容易となり、人為的ミスも生じにくいことから、管理上良好となる。
【０１２８】
また、ゲート用ＲＦＩＤリーダライタ４９で作業者ＩＤカード３６から読み取ったカセットＩＤ情報と、ゲート用ＲＦＩＤリーダライタ４９で現金カセット１５から読み取ったカセットＩＤ情報とが整合しないことが取引先管理機４０の制御部４４で確認されたとき、警報装置４５で警報を発するため、不整合を作業者等に確実に認識させることができる。
【０１２９】
さらに、搬送元が、複数の取引先１０から現金カセット１５が収集される現金収集センタ１００であり、搬送先が、現金カセット１５が装填される現金取引機２６が設置される取引先１０であるため、現金収集センタ１００での搬出管理および取引先１０での搬入管理が容易且つ良好にできる。
【０１３０】
加えて、現金収集センタ１００から現金カセット１５を持ち出そうと出入口１２３を通ると、この出入口１２３の近傍に配置されたゲート用ＲＦＩＤリーダライタ１４９が、現金カセット１５からカセットＩＤ情報を読み取った後、この読み取ったカセットＩＤ情報を作業者ＩＤカード３６に書き込む。このように、搬出時に出入口１２３を通ることに関連して自動的に現金カセット１５からの読み取りおよび作業者ＩＤカード３６への書き込みを行うことができるため、現金収集センタ１００での搬出管理の人為的ミスを確実に防止することができる。
【０１３１】
さらに、取引先１０の現金取引機２６に現金カセット１５を装填すると、現金取引機２６に設けられた装填部ＲＦＩＤリーダライタ３２が、装填される現金カセット１５からカセット内在り高情報を読み取って、当該現金取引機２６の在り高情報を自動更新するため、現金取引機２６が還流式である場合に、在り高情報を更新することで、現金カセット１５に収納されている現金をそのまま出金用として使用することができる。
【０１３２】
さらに、一つの共用のゲート用ＲＦＩＤリーダライタ１４９で現金カセット１５からの読み取りおよび作業者ＩＤカード３６への書き込みを行うため、部品点数を減らして簡素化することができる。
【０１３３】
加えて、一つの共用のゲート用ＲＦＩＤリーダライタ４９で、現金カセット１５からのカセットＩＤ情報の読み取りおよび作業者ＩＤカード３６からのカセットＩＤ情報の読み取りを行うため、部品点数を減らして簡素化することができる。
【０１３４】
次に、本発明の第５実施形態の現金カセット搬送監視システムを第４実施形態との相違部分を中心に説明する。なお、第５実施形態は第４実施形態に対し搬送監視制御の制御内容が異なっている。
【０１３５】
第５実施形態の現金カセット搬送監視システムにおいて、現金収集センタ１００を搬送元である第１の場所とし、現金取引機２６が設置される取引先１０を搬送先である第２の場所として、現金収集センタ１００から取引先１０への現金カセット１５の搬送を監視する点は、第４実施形態と同様である。
【０１３６】
まず、管理者Ｍ２が、現金収集センタ１００の現金処理機１２６から釣銭準備金を出金させて、空の現金カセット１５に収納させる。次に、センタ管理機１４０の操作部１４１への操作で、登録用ＲＦＩＤリーダライタ１４６を用いて、この釣銭準備金を収納した現金カセット１５のＲＦＩＤインレット３０に、収納した釣銭準備金の金額であるカセット内在り高情報を記憶させる。
【０１３７】
このようにして釣銭準備金を収納した現金カセット１５を、一台あるいは複数台、現金収集センタ１００から、搬送作業者Ｗが搬出することになるが、搬送作業者Ｗは、搬出にあたって、現金カセット１５の持ち出しを管理者Ｍ２に要求すると、管理者Ｍ２は、センタ管理機１４０に対し、管理者Ｍ２のみが所持する管理者ＩＤカード１５０を操作部１４１のカードリーダ１４１ｂに読み取らせる。すると、センタ管理機１４０の制御部１４４は、カードリーダ１４１ｂで読み取った管理者ＩＤ情報から管理者Ｍ２の適正な認証が行われた場合に限り、その後、現金処理室１２０から持ち出す現金カセット１５のカセットＩＤ情報の入力を許可する状態となる。つまり、記憶部１４３には適正な管理者Ｍ２の管理者ＩＤ情報のリストが記憶されており、制御部１４４は、カードリーダ１４１ｂで読み取った管理者ＩＤ情報に対応する管理者ＩＤ情報が記憶部１４３のリストに載っていれば管理者Ｍ２が適正であると認証してカセットＩＤ情報の入力を許可する一方、リストに載っていなければ管理者Ｍ２が不適正と判断してカセットＩＤ情報の入力を許可せずに、警報装置１４５にアラームを発生させる。
【０１３８】
管理者Ｍ２の適正な認証が行われると、管理者Ｍ２は、いずれの現金カセット１５を持ち出すかをセンタ管理機１４０の操作部１４１に入力する。つまり、管理者Ｍ２は、センタ管理機１４０の操作部１４１で、搬出する現金カセット１５のカセットＩＤ情報を登録する。
【０１３９】
その後、入力されたカセットＩＤ情報を有する現金カセット１５が、搬送作業者Ｗによって現金処理室１２０から持ち出されることになるが、その際に、搬送作業者Ｗが現金カセット１５を持って出入口１２３の近傍に設けられたゲート１２５を通ると、ゲート１２５のゲート用ＲＦＩＤリーダライタ１４９（搬出側カセット読取手段，書込手段）が通過した現金カセット１５のＲＦＩＤインレット３０からカセットＩＤ情報を読み取ってセンタ管理機１４０に出力することになる。センタ管理機１４０の制御部１４４（搬出側確認手段）は、この読み取ったカセットＩＤ情報から、センタ管理機１４０に先に入力されたカセットＩＤ情報と同じカセットＩＤ情報を確認した場合には、正常搬出であると判定して、このカセットＩＤ情報を有する現金カセット１５が持ち出されたことを記憶部１４３に記憶させるとともに、このカセットＩＤ情報を作業者ＩＤカード３６のＲＦＩＤインレット３５に記憶させる。
【０１４０】
他方、ゲート用ＲＦＩＤリーダライタ１４９で現金カセット１５に設けられたＲＦＩＤインレット３０のカセットＩＤ情報を検出し、センタ管理機１４０に入力されたカセットＩＤ情報と同じカセットＩＤ情報以外のカセットＩＤ情報を確認した場合に、制御部１４４が、正常搬出でない異常搬出と判断して、警報装置１４５で警報を発生させる。このときは、カセットＩＤ情報を作業者ＩＤカード３６のＲＦＩＤインレット３５に記憶させることはない。
【０１４１】
また、センタ管理機１４０の制御部１４４で上記した正常搬出が確認されても、ゲート用ＲＦＩＤリーダライタ１４９で読み取ったカセットＩＤ情報をゲート用ＲＦＩＤリーダライタ１４９で作業者ＩＤカード３６に書き込めない場合、つまり、例えば書き込み可能な適正な作業者ＩＤカード３６を持たない作業者Ｗが搬出を行おうとした場合には、警報装置１４５で警報を発生させる。
【０１４２】
一の現金処理室１２０からの一の搬出処理において、複数の現金カセット１５を現金収集センタ１００の現金処理室１２０から搬出する際に、ゲート１２５に設けられたゲート用ＲＦＩＤリーダライタ１４９が、すべての現金カセット１５のＲＦＩＤインレット３０に予め記憶されたカセットＩＤ情報を読み出して、予め搬出がセンタ管理機１４０に登録されている場合に限り、作業者ＩＤカード３６のＲＦＩＤインレット３５に順次書き込む。
【０１４３】
なお、第４実施形態と同様、搬出するすべての現金カセット１５のカセットＩＤ情報を作業者ＩＤカード３６のＲＦＩＤインレット３５に書き込み可能となるように、ゲート用ＲＦＩＤリーダライタ１４９を出入口１２３から離れて配置されるＲＦＩＤリーダと出入口１２３近くに配置されるＲＦＩＤライタとに分けたり、出入口１２３からの距離が異なる複数の位置にゲート用ＲＦＩＤリーダライタ１４９を設けたりすることが可能である。
【０１４４】
そして、搬送作業者Ｗが、現金収集センタ１００から搬出した現金カセット１５を持って一の取引先１０の現金取引室２０に出入口２３からゲート２５を通って入室することになるが、このときに、ゲート２５に設けられたゲート用ＲＦＩＤリーダライタ４９（搬入側カセット読取手段，カード読取手段）が、搬入されるすべての現金カセット１５のＲＦＩＤインレット３０からカセットＩＤ情報を読み取るとともに、作業者ＩＤカード３６からもＲＦＩＤインレット３５からカセットＩＤ情報を読み取って、これらの情報を取引先管理機４０の制御部４４（搬入側確認手段）に送信する。すると、制御部４４は、これらの情報を記憶部４３に記憶するとともに、ゲート用ＲＦＩＤリーダライタ４９で現金カセット１５のＲＦＩＤインレット３０から読み取ったカセットＩＤ情報と、ゲート用ＲＦＩＤリーダライタ４９で作業者ＩＤカード３６のＲＦＩＤインレット３５から読み取ったカセットＩＤ情報との整合を第４実施形態と同様に確認する。
【０１４５】
つまり、作業者ＩＤカード３６がゲート用ＲＦＩＤリーダライタ４９で検出される前後の所定時間を確認時間とし、この確認時間内に現金カセット１５のＲＦＩＤインレット３０から読み取ったカセットＩＤ情報がすべて、作業者ＩＤカード３６のＲＦＩＤインレット３５から読み取ったカセットＩＤ情報に対応していれば、整合していることが確認できるため、搬入が正常であったと判定し、正常であった旨を記憶部４３に記憶するとともに表示部４２に表示させることになる。他方、確認時間内に現金カセット１５のＲＦＩＤインレット３０から読み取ったカセットＩＤ情報のうち一つでも作業者ＩＤカード３６のＲＦＩＤインレット３５から読み取ったカセットＩＤ情報の中に対応していないカセットＩＤ情報があれば、整合していないことを確認できるため、搬入が異常であったと判定し、異常であった旨を記憶部４３に記憶するとともに表示部４２に表示させ、警報装置４５で警報を発生させることになる。
【０１４６】
そして、現金カセット１５を対応する現金取引機２６のカセット装填部２７に装填すると、カセット装填部２７に設けられた装填部ＲＦＩＤリーダライタ３２が、装填された現金カセット１５のＲＦＩＤインレット３０からカセット内在り高情報を読み出すことになり、この情報を現金取引機２６の制御部３７に送信する。すると、制御部３７は、記憶部３８に記憶された現金取引機２６内にある現金の在り高情報を更新する。
【０１４７】
なお、現金カセット搬送監視システムの各構成のうち、上記した現金カセット１５の搬送監視制御に無関係な構成は設けなくても良い。
【０１４８】
以上に述べた第５実施形態の現金カセット搬送監視システムによれば、搬送元である現金収集センタ１００の現金処理室１２０において、搬出する現金カセット１５のＲＦＩＤインレット３０からゲート用ＲＦＩＤリーダライタ１４９でカセットＩＤ情報を読み取り、このカセットＩＤ情報をゲート用ＲＦＩＤリーダライタ１４９で搬送作業者Ｗに付帯の作業者ＩＤカード３６のＲＦＩＤインレット３５に書き込む。そして、搬送作業者Ｗが現金カセット１５を搬送先となる一の取引先１０の現金取引室２０に搬入し、ゲート用ＲＦＩＤリーダライタ４９で、搬入した現金カセット１５のＲＦＩＤインレット３０からカセットＩＤ情報を読み取るとともに作業者ＩＤカード３６のＲＦＩＤインレット３５からカセットＩＤ情報を読み取る。すると、取引先管理機４０の制御部４４が、作業者ＩＤカード３６から読み取ったカセットＩＤ情報と現金カセット１５から読み取ったカセットＩＤ情報との整合を確認することになり、これにより、現金収集センタ１００の現金処理室１２０から搬出された現金カセット１５が適正に取引先１０の現金取引室２０に搬入されたか否かを確認できる。よって、第４実施形態と同様の効果を奏することになる。
【０１４９】
しかも、現金収集センタ１００の現金処理室１２０に設けられたセンタ管理機１４０に、搬出する現金カセット１５を指定操作した後、現金処理室１２０から現金カセット１５を持ち出そうと出入口１２３を通ると、この出入口１２３の近傍に配置されたゲート用ＲＦＩＤリーダライタ１４９が、現金カセット１５からカセットＩＤ情報を読み取った後、センタ管理機１４０の制御部１４４が、当該カセットＩＤ情報が、センタ管理機１４０に入力されたカセットＩＤ情報に対応する正常搬出か対応しない異常搬出かを確認することになる。そして、制御部１４４で正常搬出が確認されると、ゲート用ＲＦＩＤリーダライタ１４９が、読み取ったカセットＩＤ情報を作業者ＩＤカード３６に書き込むことになる。したがって、持ち出す現金カセット１５を指定操作する場合に、指定操作または持ち出しの人為的ミスを確実に防止することができる。
【０１５０】
また、センタ管理機１４０の制御部１４４で異常搬出が確認されると、警報装置１４５が警報を発するため、異常搬出を作業者等に確実に認識させることができる。
【０１５１】
さらに、センタ管理機１４０の制御部１４４で正常搬出が確認されても、ゲート用ＲＦＩＤリーダライタ１４９で読み取ったカセットＩＤ情報を作業者ＩＤカード３６に書き込めない場合に、警報装置１４５が警報を発するため、カセットＩＤ情報を作業者ＩＤカード３６に記憶しない状態、つまり搬送作業者が不明の状態で現金カセット１５が持ち出されることを防止できる。
【０１５２】
次に、本発明の第６実施形態の現金カセット搬送監視システムを第４，第５実施形態との相違部分を中心に説明する。なお、第６実施形態は第４，第５実施形態に対し搬送監視制御の制御内容が異なっている。
【０１５３】
第６実施形態の現金カセット搬送監視システムにおいて、現金収集センタ１００を搬送元である第１の場所とし、現金取引機２６が設置される複数の取引先１０を搬送先である第２の場所として、現金収集センタ１００から複数の取引先１０への現金カセット１５の搬送を監視する。
【０１５４】
つまり、警備会社では、第１〜第３実施形態で述べたように、搬送作業者Ｗを現金収集センタ１００から取引先１０の現金取引室２０に向かわせて売上金の入った現金カセット１５の回収を行わせることになるが、その際に、現金収集センタ１００で例えば釣銭準備金が予め入れられた現金カセット１５を、回収する現金カセット１５と交換に装填することがある。このような現金の搬送を監視する。
【０１５５】
まず、管理者Ｍ２が、現金収集センタ１００の現金処理機１２６から釣銭準備金を出金させて、空の現金カセット１５に収納させる。次に、センタ管理機１４０の操作部１４１への操作で、登録用ＲＦＩＤリーダライタ１４６を用いて、この釣銭準備金を収納した現金カセット１５のＲＦＩＤインレット３０に、収納した釣銭準備金の金額であるカセット内在り高情報を記憶させるとともに、釣銭準備金の搬送先である取引先１０を他の取引先１０に対し識別する取引先ＩＤ情報を記憶させる。このような処理を一の搬出処理で持ち出すすべての現金カセット１５について行う。
【０１５６】
このようにして釣銭準備金を収納した複数の現金カセット１５を、作業者Ｗが、現金収集センタ１００の現金処理室１２０のゲート１２５および出入口１２３を通って搬出することになるが、その際に、第４実施形態と同様に、ゲート１２５に設けられたゲート用ＲＦＩＤリーダライタ１４９（搬出側カセット読取手段，書込手段）が、すべての現金カセット１５のＲＦＩＤインレット３０に予め記憶されたカセットＩＤ情報を読み出して、これらを作業者ＩＤカード３６のＲＦＩＤインレット３５に順次書き込む。
【０１５７】
搬送作業者Ｗが、現金処理室１２０から一の搬出処理で持ち出した複数の現金カセット１５のうちのいずれか対応するものを持って、一の取引先１０の現金取引室２０に出入口２３からゲート２５を通って入室する。このとき、ゲート２５に設けられたゲート用ＲＦＩＤリーダライタ４９（搬入側カセット読取手段，カード読取手段）が、搬入されるすべての現金カセット１５のＲＦＩＤインレット３０からカセットＩＤ情報および取引先ＩＤ情報を読み取るとともに、作業者ＩＤカード３６からもＲＦＩＤインレット３５からカセットＩＤ情報を読み取って、取引先管理機４０の制御部４４（搬入側確認手段）が、これらの情報を記憶部４３に記憶するとともに、ゲート用ＲＦＩＤリーダライタ４９で現金カセット１５のＲＦＩＤインレット３０から読み取ったカセットＩＤ情報と、ゲート用ＲＦＩＤリーダライタ４９で作業者ＩＤカード３６のＲＦＩＤインレット３５から読み取ったカセットＩＤ情報との整合を確認する。この場合は、一の搬出処理で持ち出されたすべての現金カセット１５が一の取引先１０の現金取引室２０に持ち込まれるわけではないので、ゲート用ＲＦＩＤリーダライタ４９で作業者ＩＤカード３６のＲＦＩＤインレット３５から読み取ったカセットＩＤ情報の中に、ゲート用ＲＦＩＤリーダライタ４９で現金カセット１５のＲＦＩＤインレット３０から読み取ったカセットＩＤ情報が含まれるか否かを確認し、含まれる場合は整合すると判断し、含まれない場合に整合しないと判断して、警報装置４５で警報を発生させる。
【０１５８】
そして、整合している場合に、一の現金カセット１５を対応する現金取引機２６のカセット装填部２７に装填するとともに、このカセット装填部２７のカード挿入部３３に作業者ＩＤカード３６を挿入すると、カセット装填部２７に設けられた装填部ＲＦＩＤリーダライタ３２が、装填された現金カセット１５のＲＦＩＤインレット３０からカセット内在り高情報と取引先ＩＤ情報とを読み出すことになり、この情報を現金取引機２６の制御部３７に送信する。すると、制御部３７（装填照合手段）は、現金カセット１５のＲＦＩＤインレット３０から読み取った取引先ＩＤ情報と、記憶部３８に予め登録されているこの現金取引機２６が設置された取引先１０用の取引先ＩＤ情報（取引先識別番号）との照合を行うことになる。そして、現金カセット１５のＲＦＩＤインレット３０から読み取った取引先ＩＤ情報と、記憶部３８に予め登録されているこの現金取引機２６が設置された取引先１０用の取引先ＩＤ情報とが一致しこれらの照合が確認された場合には、カード挿入部３３に装填された作業者ＩＤカード３６に装填部ＲＦＩＤリーダライタ３２によって、この現金カセット１５のカセットＩＤ情報とこれが適正に装填された旨とを関連づけて記憶させる。すると、後に、この作業者ＩＤカード３６のＲＦＩＤインレット３０を読み取ることで、この現金カセット１５が適正な取引先１０の現金取引機２６に装填されたことを確認できる。制御部３７は、適正な現金カセット１５が装填された場合に限り、現金取引機２６内にある現金の記憶部３８に記憶された在り高情報を、ＲＦＩＤインレット３０から読み出したカセット内在り高情報を基に更新する。このような処理を一の取引先１０の現金取引室２０において、ここに持ち込んだすべての現金カセット１５において行う。
【０１５９】
他方、現金カセット１５のＲＦＩＤインレット３０から読み取った取引先ＩＤ情報と、記憶部３８に予め登録されているこの現金取引機２６が設置された取引先１０用の取引先ＩＤ情報とが一致せず、これらの照合が確認できない場合には、警報装置３９で警報を発生させるとともに、カード挿入部３３に装填された作業者ＩＤカード３６への上記記憶は行わず、また、現金取引機２６内にある現金の在り高情報を更新しない。例えば、他の取引先１０の取引先ＩＤ情報を有する現金カセット１５を誤って装填した場合は、このような状態になる。
そして、各取引先１０のそれぞれについて、上記の照合を含む処理を行うことになる。
【０１６０】
なお、現金カセット搬送監視システムの各構成のうち、上記した現金カセット１５の搬送監視制御に無関係な構成は設けなくても良い。
【０１６１】
以上に述べた第６実施形態の現金カセット搬送監視システムによれば、第４実施形態とほぼ同様の効果を奏する上、取引先１０に設置された現金取引機２６に、搬入した現金カセット１５を装填すると、現金取引機２６に設けられた装填部ＲＦＩＤリーダライタ３２がこの現金カセット１５から取引先ＩＤ情報を読み取ることになり、現金取引機２６の制御部３７が、この取引先ＩＤ情報と、予め記憶部３８に登録されている取引先ＩＤ情報との照合を行うことになる。よって、一の取引先の現金取引機２６に対して、他の取引先の現金取引機２６用の現金カセット１５を誤って装填することを防止できる。
【０１６２】
また、現金取引機２６の制御部３７で、この現金取引機２６に装填された現金カセット１５の取引先ＩＤ情報と予め登録されている取引先ＩＤ情報との照合が確認された場合に、この現金カセット１５が適正な取引先１０の現金取引機２６に装填されたことを装填部ＲＦＩＤリーダライタ３２により作業者ＩＤカード３６に記録するため、照合記録を残すことができる。
【０１６３】
装填された現金カセット１５の取引先ＩＤ情報と予め登録されている取引先ＩＤ情報との照合の結果が適正でない場合に、警報装置３９が警報を発するため、作業者等に確実に認識させることができる。
【０１６４】
次に、本発明の第７実施形態の現金カセット搬送監視システムを第６実施形態との相違部分を中心に説明する。なお、第７実施形態は第６実施形態に対し搬送監視制御の制御内容が異なっている。
【０１６５】
第７実施形態の現金カセット搬送監視システムにおいて、現金収集センタ１００を搬送元である第１の場所とし、現金取引機２６が設置される複数の取引先１０を搬送先である第２の場所として、現金収集センタ１００から複数の取引先１０への現金カセット１５の搬送を監視する点は、第６実施形態と同様である。
【０１６６】
まず、管理者Ｍ２が、現金収集センタ１００の現金処理機１２６から釣銭準備金を出金させて、空の現金カセット１５に収納させる。次に、センタ管理機１４０の操作部１４１への操作で、登録用ＲＦＩＤリーダライタ１４６を用いて、この釣銭準備金を収納した現金カセット１５のＲＦＩＤインレット３０に、第６実施形態と同様に、収納した釣銭準備金の金額であるカセット内在り高情報と、釣銭準備金の搬送先である取引先を他の取引先に対し識別する取引先ＩＤ情報とを記憶する。
【０１６７】
このようにして釣銭準備金を収納した現金カセット１５を、作業者Ｗが現金収集センタ１００の現金処理室１２０から搬出する際に、第６実施形態と同様に、ゲート用ＲＦＩＤリーダライタ１４９（搬出側カセット読取手段，書込手段）で、すべての現金カセット１５のＲＦＩＤインレット３０に予め記憶されたカセットＩＤ情報を読み出して、これらを作業者ＩＤカード３６のＲＦＩＤインレット３５に順次書き込むことになり、また、取引先１０の現金取引室２０に搬入する際に、第６実施形態と同様に、ゲート用ＲＦＩＤリーダライタ４９（搬入側カセット読取手段，カード読取手段）で読み取った現金カセット１５のＲＦＩＤインレット３０からのカセットＩＤ情報と、作業者ＩＤカード３６のＲＦＩＤインレット３５からのカセットＩＤ情報との整合を、取引先管理機４０の制御部４４（搬入側確認手段）が確認する。
【０１６８】
それとともに、ゲート用ＲＦＩＤリーダライタ４９が、現金カセット１５のＲＦＩＤインレット３０から取引先ＩＤ情報を読み取り、取引先管理機４０の制御部４４（装填照合手段）が、このように現金カセット１５のＲＦＩＤインレット３０から読み取った取引先ＩＤ情報と、記憶部４３に予め登録されているこの取引先管理機４０が設置された取引先１０用の取引先ＩＤ情報（取引先識別番号）との照合を行うことになる。そして、現金カセット１５のＲＦＩＤインレット３０から読み取った取引先ＩＤ情報と、記憶部４３に予め登録されているこの取引先管理機４０が設置された取引先１０用の取引先ＩＤ情報とが一致しこれらの照合が確認された場合には、ゲート用ＲＦＩＤリーダライタ４９によって、作業者ＩＤカード３６に、この現金カセット１５のカセットＩＤ情報とこれが適正に搬入された旨とを関連づけて記憶させる。このような処理を一の取引先１０の現金取引室２０において、ここに持ち込んだすべての現金カセット１５において行う。
【０１６９】
他方、現金カセット１５のＲＦＩＤインレット３０から読み取った取引先ＩＤ情報と、記憶部４３に予め登録されているこの取引先管理機４０が設置された取引先１０用の取引先ＩＤ情報とが一致せず、これらの照合が確認できない場合には、警報装置４５で警報を発生させるとともに、作業者ＩＤカード３６への上記記憶は行わない。例えば、他の取引先１０の取引先ＩＤ情報を有する現金カセット１５を誤って搬入した場合は、このような状態になる。
そして、各取引先１０のそれぞれについて、上記の照合を含む処理を行うことになる。
【０１７０】
なお、現金カセット搬送監視システムの各構成のうち、上記した現金カセット１５の搬送監視制御に無関係な構成は設けなくても良い。
【０１７１】
以上に述べた第７実施形態の現金カセット搬送監視システムによれば、第６実施形態と同様の効果を異なる構成で奏することになる。つまり、取引先１０の現金取引機２６が設置される現金取引室２０の出入口２３を通って現金カセット１５を搬入すると、出入口２３の近傍に配置されたゲート用ＲＦＩＤリーダライタ４９が現金カセット１５から取引先ＩＤ情報を読み取ることになり、取引先管理機４０の制御部４４がこの取引先ＩＤ情報と、予め記憶部４３に登録されている取引先ＩＤ情報との照合を行うことになるため、一の取引先１０に他の取引先１０用の現金カセット１５を誤って持ち込むことを防止できる。しかも、誤った現金カセット１５の持ち込みを出入口２３において防止できるため、より早く作業者Ｗが誤った現金カセット１５を適正な現金カセット１５に交換することができる。
【０１７２】
次に、本発明の第８実施形態の現金カセット搬送監視システムを第６実施形態との相違部分を中心に説明する。なお、第８実施形態は第６実施形態に対し搬送監視制御の制御内容が異なっている。
【０１７３】
第８実施形態の現金カセット搬送監視システムにおいて、現金収集センタ１００を搬送元である第１の場所とし、現金取引機２６が設置される複数の取引先１０を搬送先である第２の場所として、現金収集センタ１００から複数の取引先１０への現金カセット１５の搬送を監視する点は、第６，第７実施形態と同様である。
【０１７４】
管理者Ｍ２が、現金収集センタ１００の現金処理機１２６から釣銭準備金を出金させて、空の現金カセット１５に収納させるとともに、センタ管理機１４０の操作部１４１への操作で、登録用ＲＦＩＤリーダライタ１４６を用いて、この釣銭準備金を収納した現金カセット１５のＲＦＩＤインレット３０に、収納した釣銭準備金の金額であるカセット内在り高情報を記憶するとともに、同じく登録用ＲＦＩＤリーダライタ１４６を用いて、作業者ＩＤカード３６のＲＦＩＤインレット３５に、釣銭準備金が収納された現金カセット１５の個々のカセットＩＤ情報と関連づけてそれぞれの搬送先である取引先１０を他の取引先１０に対し識別する取引先ＩＤ情報を記憶する。つまり、一のカセットＩＤ情報に関連づけて搬送先である一の取引先ＩＤ情報を記憶することを、すべてのカセットＩＤ情報に対して行う。
【０１７５】
このようにして釣銭準備金を収納した複数の現金カセット１５を、作業者Ｗが現金収集センタ１００の現金処理室１２０から搬出する際に、第６実施形態と同様に、ゲート用ＲＦＩＤリーダライタ１４９（搬出側カセット読取手段，書込手段）で、すべての現金カセット１５のＲＦＩＤインレット３０に予め記憶されたカセットＩＤ情報を読み出して、これらを作業者ＩＤカード３６のＲＦＩＤインレット３５に順次書き込むことになり、また、取引先１０の現金取引室２０に搬入する際に、第６実施形態と同様に、ゲート用ＲＦＩＤリーダライタ４９（搬入側カセット読取手段，カード読取手段）で読み取った現金カセット１５のＲＦＩＤインレット３０からのカセットＩＤ情報と、作業者ＩＤカード３６のＲＦＩＤインレット３５からのカセットＩＤ情報との整合を、取引先管理機４０の制御部４４（搬入側確認手段）が確認する。
【０１７６】
それとともに、取引先管理機４０の制御部４４（過不足判断手段）が、ゲート用ＲＦＩＤリーダライタ４９によって、作業者ＩＤカード３６のＲＦＩＤインレット３５から、搬入時に読み取った現金カセット１５のＲＦＩＤインレット３０のカセットＩＤ情報に一対一で対応する取引先ＩＤ情報をさらに読み取り、搬入された現金カセット１５に対応する取引先ＩＤ情報と、記憶部４３に予め登録されているこの取引先管理機４０が設置された取引先１０用の取引先ＩＤ情報（取引先識別番号）とを照合を行うことになる。そして、作業者ＩＤカード３６のＲＦＩＤインレット３５から読み取った、搬入された現金カセット１５に対応する取引先ＩＤ情報と、記憶部４３に予め登録されているこの取引先管理機４０が設置された取引先１０用の取引先ＩＤ情報とが一致しこれらの照合が確認された場合には、ゲート用ＲＦＩＤリーダライタ４９によって、作業者ＩＤカード３６に、この現金カセット１５のカセットＩＤ情報とこれが適正に搬入された旨とを関連づけて記憶させる。ここで、取引先管理機４０の制御部４４は、作業者ＩＤカード３６のＲＦＩＤインレット３５から、この取引先管理機４０が設けられた取引先１０用の一の取引先ＩＤ情報に対応するカセットＩＤ情報を読み取り、この取引先ＩＤ情報に対応して、複数のカセットＩＤ情報が記憶されている場合には、この取引先１０の取引先ＩＤ情報に関連する最初のカセットＩＤ情報を読み込んでから、所定の時間内にこの取引先１０の取引先ＩＤ情報に関連するすべてのカセットＩＤ情報が現金カセット１５のＲＦＩＤインレット３０から検出されると、過不足なく現金カセット１５が搬入されたと判断する。
【０１７７】
他方、作業者ＩＤカード３６のＲＦＩＤインレット３５から読み取った取引先ＩＤ情報と、記憶部４３に予め登録されているこの現金取引機２６が設置された取引先１０用の取引先ＩＤ情報とが一致せず、これらの照合が確認できない場合には、対応しない現金カセット１５が搬入され、このままでは現金カセット１５が超過して搬入されてしまうため、警報装置４５で警報を発生させるとともに、作業者ＩＤカード３６への上記記憶は行わない。また、所定の時間内にこの取引先１０の取引先ＩＤ情報に関連するすべてのカセットＩＤ情報が現金カセット１５のＲＦＩＤインレット３０から検出されなければ、搬入された現金カセット１５が不足していると判断して、警報装置４５で警報を発生させる。
【０１７８】
なお、現金カセット搬送監視システムの各構成のうち、上記した現金カセット１５の搬送監視制御に無関係な構成は設けなくても良い。
【０１７９】
以上に述べた第８実施形態の現金カセット搬送監視システムによれば、第６実施形態と同様の効果を異なる構成で奏することになる。つまり、取引先１０の現金取引機２６が設置される現金取引室２０の出入口２３を通って現金カセット１５を搬入すると、出入口２３の近傍に配置されたゲート用ＲＦＩＤリーダライタ４９が現金カセット１５からカセットＩＤ情報を読み取るとともに、作業者ＩＤカード３６のＲＦＩＤインレット３５からこのカセットＩＤ情報に対応する取引先ＩＤ情報を読み取ることになり、取引先管理機４０の制御部４４がこの取引先ＩＤ情報と、予め記憶部４３に登録されている取引先ＩＤ情報との照合を行うことになるため、一の取引先１０に他の取引先１０用の現金カセット１５を誤って持ち込むことを防止できる。しかも、誤った現金カセット１５の持ち込みを出入口２３において防止できるため、より早く作業者Ｗが誤った現金カセット１５を適正な現金カセット１５に交換することができる。
【０１８０】
加えて、各取引先１０において、取引先１０の現金取引機２６が設置される現金取引室２０の出入口２３を通って現金カセット１５を搬入すると、出入口２３の近傍に配置されたゲート用ＲＦＩＤリーダライタ４９が現金カセット１５からカセットＩＤ情報を読み取るとともに、このゲート用ＲＦＩＤリーダライタ４９が搬送作業者Ｗの作業者ＩＤカード３６から、当該ゲート用ＲＦＩＤリーダライタ４９が設置された取引先１０の取引先ＩＤ情報に対応するカセットＩＤ情報を読み取り、取引先管理機４０の制御部４４がこれらを照合することで、搬入された現金カセット１５の過不足を判断する。これにより、一の取引先１０に対して搬入すべき現金カセット１５が所定のＮ個であり、所定のＮ個のカセットＩＤ情報が作業者ＩＤカード３６に記録されている場合に、取引先１０の出入口２３で、Ｎ個に満たない数の現金カセット１５を搬入した場合にこれを検出できる。
【０１８１】
以上の第１〜第８実施形態において、ＲＦＩＤインレット３０，３５およびＲＦＩＤリーダライタ３２，４６，４９，１４６，１４９にかえて、非接触式で情報を読み書き可能な他の記憶装置およびリーダライタを用いることも可能であり、接触式で情報を読み書き可能な他の記憶装置およびリーダライタを用いることも可能である。
【０１８２】
また、ゲート用ＲＦＩＤリーダライタ４９を搬送作業者Ｗの入出方向に沿って複数設けて、これらの検出のタイミングから搬送作業者Ｗが入室か退室かを判断して、以後の制御を行うようにすることも可能である。ゲート用ＲＦＩＤリーダライタ１４９についても同様である。
【０１８３】
加えて、管理者Ｍ１を認証する手段として、管理者ＩＤカード５０およびカードリーダ４１ｂの組み合わせにかえて、指紋認証、掌認証、その他の生体認証用ユニットを用いても良い。管理者Ｍ２を認証する手段としての、管理者ＩＤカード１５０およびカードリーダ１４１ｂについても同様である。
【図面の簡単な説明】
【０１８４】
【図１】本発明の第１実施形態の現金カセット監視システムを示すブロック図である。
【図２】本発明の第１実施形態の現金カセット監視システムにおける現金取引室側の構成を示すブロック図である。
【図３】本発明の第１実施形態の現金カセット監視システムにおける現金カセットのＲＦＩＤインレットを示すブロック図である。
【図４】本発明の第１実施形態の現金カセット監視システムにおける作業者ＩＤカードを示すブロック図である。
【図５】本発明の第１実施形態の現金カセット監視システムにおける取引室管理機およびその周辺を示すブロック図である。
【図６】本発明の第１実施形態の現金カセット監視システムにおける現金処理室側の構成を示すブロック図である。
【図７】本発明の第１実施形態の現金カセット監視システムにおけるセンタ管理機およびその周辺を示すブロック図である。
【符号の説明】
【０１８５】
１０  取引先
１５  現金カセット
２６  現金取引機
２７  カセット装填部
３０  ＲＦＩＤインレット
３２  装填部ＲＦＩＤリーダ
３５  ＲＦＩＤインレット
３６  作業者ＩＤカード
４０  取引先管理機
４４  制御部
４５  警報装置
４６  登録用ＲＦＩＤリーダライタ
４９  ゲート用ＲＦＩＤリーダライタ
５０  管理者ＩＤカード
１００  現金収集センタ
１２６  現金処理機
１４０  センタ管理機
１４４  制御部
１４５  警報装置
１４６  登録用ＲＦＩＤリーダライタ
１４９  ゲート用ＲＦＩＤリーダライタ
【図１】
0004823774.tif 000002
【図２】
0004823774.tif 000003
【図３】
0004823774.tif 000004
【図４】
0004823774.tif 000005
【図５】
0004823774.tif 000006
【図６】
0004823774.tif 000007
【図７】
0004823774.tif 000008